(57)【要約】  本発明の実施例は、信号伝送方法及び機器を提供する。この方法は、第１の機器がターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定されるステップと、この第１の機器がこのターゲットチャネルの帯域幅及びサブキャリア数に基づき、このターゲットチャネルを介して第２の機器に信号を送信し、又はこの第２の機器がこのターゲットチャネルを介して送信した信号を受信し、ここで、この第１の機器及びこの第２の機器のうちの少なくとも１つは端末機器であるステップと、を含む。本発明の実施例によれば、リソースの浪費を回避できる。
2019530259.tif 000002
【特許請求の範囲】
【請求項１】
第１の機器がターゲットチャネルの帯域幅及びサブキャリア数を決定し、ここで、前記ターゲットチャネルの帯域幅又はサブキャリア数は、前記ターゲットチャネルを使用する端末機器のレベル及び／又はタイプにより決定されるステップと、
前記第１の機器が前記ターゲットチャネルの帯域幅及びサブキャリア数に基づき、前記ターゲットチャネルを介して第２の機器に信号を送信し、又は前記第２の機器が前記ターゲットチャネルを介して送信した信号を受信し、ここで、前記第１の機器及び前記第２の機器のうちの少なくとも１つは端末機器であるステップと、を含む
ことを特徴とする信号伝送方法。
【請求項２】
前記ターゲットチャネルは、端末機器によりアクセスされるチャネルである
ことを特徴とする請求項１に記載の方法。
【請求項３】
前記ターゲットチャネルは、同期チャネル、ランダムアクセスチャネル又はシステム情報を伝送するためのチャネルである
ことを特徴とする請求項２に記載の方法。
【請求項４】
前記信号は下り信号であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である
ことを特徴とする請求項１〜３のいずれか１項に記載の方法。
【請求項５】
前記信号は上り信号であり、
前記ターゲットチャネルの帯域幅は、前記ターゲットチャネルを使用する端末機器のレベル及び／又はタイプに対応する最小帯域幅以上であり、及び／又は、
前記ターゲットチャネルのサブキャリア数は、前記ターゲットチャネルを使用する端末機器のレベル及び／又はタイプに対応する最小サブキャリア数以上である
ことを特徴とする請求項１〜３のいずれか１項に記載の方法。
【請求項６】
前記第１の機器は端末機器であり、且つ前記第２の機器も端末機器であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である
ことを特徴とする請求項１〜３のいずれか１項に記載の方法。
【請求項７】
前記ターゲットチャネルは、第１のチャネルタイプに属し、前記第１のチャネルタイプは、少なくとも一つのチャネルを含み、異なるチャネルは端末機器の異なるレベル及び／又はタイプに対応する
ことを特徴とする請求項１〜３のいずれか１項に記載の方法。
【請求項８】
前記第２の機器は端末機器であり、
前記第１の機器がターゲットチャネルの帯域幅及びサブキャリア数を決定するステップは、
前記第１の機器が前記第２の機器のレベル及び／又はタイプに基づき、前記ターゲットチャネルの帯域幅の取り得る値範囲を決定するステップと、
前記ターゲットチャネルの帯域幅の取り得る値範囲内で前記ターゲットチャネルの帯域幅を決定するステップと、
前記ターゲットチャネルのサブキャリア間隔を決定するステップと、
前記ターゲットチャネルの帯域幅及び前記ターゲットチャネルのサブキャリア間隔に基づき、前記ターゲットチャネルのサブキャリア数を決定するステップと、を含む
ことを特徴とする請求項１〜３及び７のいずれか１項に記載の方法。
【請求項９】
前記第１の機器はネットワーク機器であり、
前記第１の機器が、異なるレベル及び／又はタイプの端末機器が第１のチャネルタイプのチャネルを使用するときに採用する帯域幅の取り得る値範囲を通知するステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜３、７及び８のいずれか１項に記載の方法。
【請求項１０】
前記第２の機器は端末機器であり、
前記第１の機器がターゲットチャネルの帯域幅及びサブキャリア数を決定するステップは、
前記第１の機器が前記第２の機器のレベル及び／又はタイプに基づき、前記ターゲットチャネルのサブキャリア数の取り得る値範囲を決定するステップと、
前記ターゲットチャネルのサブキャリア数の取り得る値範囲内で前記ターゲットチャネルのサブキャリア数を決定するステップと、
前記ターゲットチャネルのサブキャリア間隔を決定するステップと、
前記ターゲットチャネルのサブキャリア数及び前記ターゲットチャネルのサブキャリア間隔に基づき、前記ターゲットチャネルの帯域幅を決定するステップと、を含む
ことを特徴とする請求項１〜３及び７のいずれか１項に記載の方法。
【請求項１１】
前記第１の機器はネットワーク機器であり、
前記第１の機器が、異なるレベル及び／又はタイプの端末機器が第１のチャネルタイプのチャネルを使用するときに採用するサブキャリア数の取り得る値範囲を通知するステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜３、７及び１０のいずれか１項に記載の方法。
【請求項１２】
前記第１の機器は端末機器であり、
前記第１の機器がターゲットチャネルの帯域幅及びサブキャリア数を決定するステップは、
前記第１の機器が前記ターゲットチャネルの帯域幅の取り得る値範囲内で前記ターゲットチャネルの帯域幅を決定するステップと、
前記ターゲットチャネルのサブキャリア間隔を決定するステップと、
前記第１の機器が前記ターゲットチャネルの帯域幅及び前記ターゲットチャネルのサブキャリア間隔に基づき、前記ターゲットチャネルのサブキャリア数を決定するステップと、を含む
ことを特徴とする請求項１〜３及び７のいずれか１項に記載の方法。
【請求項１３】
前記第１の機器は端末機器であり、
前記第１の機器がターゲットチャネルの帯域幅及びサブキャリア数を決定する前に、
前記第１の機器が、ネットワーク機器が送信した第１の指示情報を受信し、前記第１の指示情報は、第１のチャネルタイプのチャネルに関して、前記端末機器のレベル及び／又はタイプに対応するサブキャリア数を指示するためのものであるステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜３、７及び１２のいずれか１項に記載の方法。
【請求項１４】
前記第１の機器は端末機器であり、
前記第１の機器がターゲットチャネルの帯域幅及びサブキャリア数を決定するステップは、
前記第１の機器が前記ターゲットチャネルのサブキャリア数の取り得る値範囲内で前記ターゲットチャネルのサブキャリア数を決定するステップと、
前記ターゲットチャネルのサブキャリア間隔を決定するステップと、
前記ターゲットチャネルのサブキャリア数及びサブキャリア間隔に基づき、前記ターゲットチャネルの帯域幅を決定するステップと、を含む
ことを特徴とする請求項１〜３及び７のいずれか１項に記載の方法。
【請求項１５】
前記第１の機器は端末機器であり、
前記第１の機器がターゲットチャネルの帯域幅及びサブキャリア数を決定する前に、
前記第１の機器が、ネットワーク機器が送信した第２の指示情報を受信し、前記第２の指示情報は、第１のチャネルタイプのチャネルに関して、前記端末機器のレベル及び／又はタイプに対応するターゲットチャネルのサブキャリア数を指示するためのものであるステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜３、７及び１４のいずれか１項に記載の方法。
【請求項１６】
前記ターゲットチャネルのサブキャリア間隔を決定するステップは、
複数の基本パラメータセットからターゲット基本パラメータセットを決定するステップと、
前記ターゲット基本パラメータセットから前記ターゲットチャネルのサブキャリア間隔を決定するステップと、を含む
ことを特徴とする請求項８、１０、１２及び１４のいずれか１項に記載の方法。
【請求項１７】
第１の機器である信号伝送機器であって、
ターゲットチャネルの帯域幅及びサブキャリア数を決定するために使用され、ここで、前記ターゲットチャネルの帯域幅又はサブキャリア数は、前記ターゲットチャネルを使用する端末機器のレベル及び／又はタイプにより決定される処理ユニットと、
前記ターゲットチャネルの帯域幅及びサブキャリア数に基づき、前記ターゲットチャネルを介して第２の機器に信号を送信し、又は前記第２の機器が前記ターゲットチャネルを介して送信した信号を受信するために使用され、ここで、前記第１の機器及び前記第２の機器のうちの少なくとも１つは端末機器である送受信ユニットと、を備える
ことを特徴とする信号伝送機器。
【請求項１８】
前記ターゲットチャネルは、端末機器によりアクセスされるチャネルである
ことを特徴とする請求項１７に記載の機器。
【請求項１９】
前記ターゲットチャネルは、同期チャネル、ランダムアクセスチャネル又はシステム情報を伝送するためのチャネルである
ことを特徴とする請求項１８に記載の機器。
【請求項２０】
前記信号は下り信号であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である
ことを特徴とする請求項１７〜１９のいずれか１項に記載の機器。
【請求項２１】
前記信号は上り信号であり、
前記ターゲットチャネルの帯域幅は、前記ターゲットチャネルを使用する端末機器のレベル及び／又はタイプに対応する最小帯域幅以上であり、及び／又は、
前記ターゲットチャネルのサブキャリア数は、前記ターゲットチャネルを使用する端末機器のレベル及び／又はタイプに対応する最小サブキャリア数以上である
ことを特徴とする請求項１７〜１９のいずれか１項に記載の機器。
【請求項２２】
前記第１の機器は端末機器であり、且つ前記第２の機器も端末機器であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である
ことを特徴とする請求項１７〜１９のいずれか１項に記載の機器。
【請求項２３】
前記ターゲットチャネルは、第１のチャネルタイプに属し、前記第１のチャネルタイプは、複数のチャネルを含み、異なるチャネルは端末機器の異なるレベル及び／又はタイプに対応する
ことを特徴とする請求項１７〜１９のいずれか１項に記載の機器。
【請求項２４】
前記第２の機器は端末機器であり、
前記処理ユニットは、具体的に、
前記第２の機器のレベル及び／又はタイプに基づき、前記ターゲットチャネルの帯域幅の取り得る値範囲を決定し、
前記ターゲットチャネルの帯域幅の取り得る値範囲内で前記ターゲットチャネルの帯域幅を決定し、
前記ターゲットチャネルのサブキャリア間隔を決定し、
前記ターゲットチャネルの帯域幅及び前記ターゲットチャネルのサブキャリア間隔に基づき、前記ターゲットチャネルのサブキャリア数を決定するために使用される
ことを特徴とする請求項１７〜１９及び２３のいずれか１項に記載の機器。
【請求項２５】
前記第１の機器はネットワーク機器であり、
前記送受信ユニットは、また、
異なるレベル及び／又はタイプの端末機器が第１のチャネルタイプのチャネルを使用するときに採用する帯域幅の取り得る値範囲を通知するために使用され、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１７〜１９、２３及び２４のいずれか１項に記載の機器。
【請求項２６】
前記第２の機器は端末機器であり、
前記処理ユニットは、具体的に、
前記第２の機器のレベル及び／又はタイプに基づき、前記ターゲットチャネルのサブキャリア数の取り得る値範囲を決定し、
前記ターゲットチャネルのサブキャリア数の取り得る値範囲内で前記ターゲットチャネルのサブキャリア数を決定し、
前記ターゲットチャネルのサブキャリア間隔を決定し、
前記ターゲットチャネルのサブキャリア数及び前記ターゲットチャネルのサブキャリア間隔に基づき、前記ターゲットチャネルの帯域幅を決定するために使用される
ことを特徴とする請求項１７〜１９及び２３のいずれか１項に記載の機器。
【請求項２７】
前記第１の機器はネットワーク機器であり、
前記送受信ユニットは、また、
異なるレベル及び／又はタイプの端末機器が第１のチャネルタイプのチャネルを使用するときに採用するサブキャリア数の取り得る値範囲を通知するために使用され、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１７〜１９、２３及び２６のいずれか１項に記載の機器。
【請求項２８】
前記第１の機器は端末機器であり、
前記処理ユニットは、また、
前記ターゲットチャネルの帯域幅の取り得る値範囲内で前記ターゲットチャネルの帯域幅を決定し、
前記ターゲットチャネルのサブキャリア間隔を決定し、
前記ターゲットチャネルの帯域幅及び前記ターゲットチャネルのサブキャリア間隔に基づき、前記ターゲットチャネルのサブキャリア数を決定するために使用される
ことを特徴とする請求項１７〜１９及び２３のいずれか１項に記載の機器。
【請求項２９】
前記第１の機器は端末機器であり、
前記送受信ユニットは、また、
ネットワーク機器が送信した第１の指示情報を受信するために使用され、前記第１の指示情報は、第１のチャネルタイプのチャネルに関して、前記端末機器のレベル及び／又はタイプに対応するサブキャリア数を指示するためのものであり、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１７〜１９、２３及び２８のいずれか１項に記載の機器。
【請求項３０】
前記第１の機器は端末機器であり、
前記処理ユニットは、また、
前記ターゲットチャネルのサブキャリア数の取り得る値範囲内で前記ターゲットチャネルのサブキャリア数を決定し、
前記ターゲットチャネルのサブキャリア間隔を決定し、
前記ターゲットチャネルのサブキャリア数及びサブキャリア間隔に基づき、前記ターゲットチャネルの帯域幅を決定するために使用される
ことを特徴とする請求項１７〜１９及び２３に記載の機器。
【請求項３１】
前記第１の機器は端末機器であり、
前記送受信ユニットは、また、
ネットワーク機器が送信した第２の指示情報を受信するために使用され、前記第２の指示情報は、第１のチャネルタイプのチャネルに関して、前記端末機器のレベル及び／又はタイプに対応するターゲットチャネルのサブキャリア数を指示するためのものであり、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１７〜１９、２３及び３０のいずれか１項に記載の機器。
【請求項３２】
前記処理ユニットは、また、
複数の基本パラメータセットからターゲット基本パラメータセットを決定し、
前記ターゲット基本パラメータセットから前記ターゲットチャネルのサブキャリア間隔を決定するために使用される
ことを特徴とする請求項２４、２６、２８及び３０のいずれか１項に記載の機器。
【発明の詳細な説明】
【技術分野】
【０００１】
本発明は、通信分野に関し、特に信号伝送方法及び機器に関する。
【背景技術】
【０００２】
ネットワークの発展に伴い、サービス需要量が増加し続け、サービス要求種類も増加し続けており、従来のネットワーク標準通信プロトコルにおいてネットワーク機器と端末機器がスペクトルを利用して信号を伝送する場合、統一的な帯域幅又はサブキャリア数を採用して信号を送信するため、異なる幅のスペクトル帯域幅を充分に利用できず、リソースが浪費される。
【発明の概要】
【発明が解決しようとする課題】
【０００３】
本発明の実施例は、リソースの浪費を回避できる信号伝送方法及び機器を提供する。
【課題を解決するための手段】
【０００４】
第１の態様によれば、信号伝送方法が提供され、前記方法は、
第１の機器がターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定されるステップと、
この第１の機器がこのターゲットチャネルの帯域幅及びサブキャリア数に基づき、このターゲットチャネルを介して第２の機器に信号を送信し、又はこの第２の機器がこのターゲットチャネルを介して送信した信号を受信し、ここで、この第１の機器及びこの第２の機器のうちの少なくとも１つは端末機器であるステップと、を含む。
【０００５】
第１の態様に関連して、第１の態様の第１の可能な実現形態では、このターゲットチャネルは、端末機器によりアクセスされるチャネルである。
【０００６】
第１の態様又は上記のいずれかの可能な実現形態に関連して、第１の態様の第２の可能な実現形態では、このターゲットチャネルは、同期チャネル、ランダムアクセスチャネル又はシステム情報を伝送するためのチャネルである。
【０００７】
第１の態様又は上記のいずれかの可能な実現形態に関連して、第１の態様の第３の可能な実現形態では、この信号は下り信号であり、
このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【０００８】
第１の態様又は上記のいずれかの可能な実現形態に関連して、第１の態様の第４の可能な実現形態では、この信号は上り信号であり、
このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【０００９】
第１の態様又は上記のいずれかの可能な実現形態に関連して、第１の態様の第５の可能な実現形態では、
前記第１の機器は端末機器であり、且つ前記第２の機器も端末機器であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である。
【００１０】
第１の態様又は上記のいずれかの可能な実現形態に関連して、第１の態様の第６の可能な実現形態では、このターゲットチャネルは、第１のチャネルタイプに属し、この第１のチャネルタイプは、複数のチャネルを含み、異なるチャネルは端末機器の異なるレベル及び／又はタイプに対応する。
【００１１】
第１の態様又は上記のいずれかの可能な実現形態に関連して、第１の態様の第７の可能な実現形態では、この第２の機器は端末機器であり、
この第１の機器がターゲットチャネルの帯域幅及びサブキャリア数を決定するステップは、
この第１の機器がこの第２の機器のレベル及び／又はタイプに基づき、このターゲットチャネルの帯域幅の取り得る値範囲を決定するステップと、
このターゲットチャネルの帯域幅の取り得る値範囲内でこのターゲットチャネルの帯域幅を決定するステップと、
このターゲットチャネルのサブキャリア間隔を決定するステップと、
このターゲットチャネルの帯域幅及びこのターゲットチャネルのサブキャリア間隔に基づき、このターゲットチャネルのサブキャリア数を決定するステップと、を含む。
【００１２】
第１の態様又は上記のいずれかの可能な実現形態に関連して、第１の態様の第８の可能な実現形態では、この第１の機器はネットワーク機器であり、この方法は、
この第１の機器が、異なるレベル及び／又はタイプの端末機器が第１のチャネルタイプのチャネルを使用するときに採用する帯域幅の取り得る値範囲を通知するステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１３】
第１の態様又は上記のいずれかの可能な実現形態に関連して、第１の態様の第９の可能な実現形態では、この第２の機器は端末機器であり、
この第１の機器がターゲットチャネルの帯域幅及びサブキャリア数を決定するステップは、
この第１の機器がこの第２の機器のレベル及び／又はタイプに基づき、このターゲットチャネルのサブキャリア数の取り得る値範囲を決定するステップと、
このターゲットチャネルのサブキャリア数の取り得る値範囲内でこのターゲットチャネルのサブキャリア数を決定するステップと、
このターゲットチャネルのサブキャリア間隔を決定するステップと、
このターゲットチャネルのサブキャリア数及びこのターゲットチャネルのサブキャリア間隔に基づき、このターゲットチャネルの帯域幅を決定するステップと、を含む。
【００１４】
第１の態様又は上記のいずれかの可能な実現形態に関連して、第１の態様の第１０の可能な実現形態では、この第１の機器はネットワーク機器であり、この方法は、
この第１の機器が、異なるレベル及び／又はタイプの端末機器が第１のチャネルタイプのチャネルを使用するときに採用するサブキャリア数の取り得る値範囲を通知するステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１５】
第１の態様又は上記のいずれかの可能な実現形態に関連して、第１の態様の第１１の可能な実現形態では、この第１の機器は端末機器であり、
この第１の機器がターゲットチャネルの帯域幅及びサブキャリア数を決定するステップは、
この第１の機器がこのターゲットチャネルの帯域幅の取り得る値範囲内でこのターゲットチャネルの帯域幅を決定するステップと、
このターゲットチャネルのサブキャリア間隔を決定するステップと、
この第１の機器がこのターゲットチャネルの帯域幅及びこのターゲットチャネルのサブキャリア間隔に基づき、このターゲットチャネルのサブキャリア数を決定するステップと、を含む。
【００１６】
第１の態様又は上記のいずれかの可能な実現形態に関連して、第１の態様の第１２の可能な実現形態では、この第１の機器は端末機器であり、この第１の機器がターゲットチャネルの帯域幅及びサブキャリア数を決定する前に、この方法は、
この第１の機器が、ネットワーク機器が送信した第１の指示情報を受信し、この第１の指示情報は、第１のチャネルタイプのチャネルに関して、この端末機器のレベル及び／又はタイプに対応するサブキャリア数を指示するためのものであるステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１７】
第１の態様又は上記のいずれかの可能な実現形態に関連して、第１の態様の第１３の可能な実現形態では、この第１の機器は端末機器であり、
この第１の機器がターゲットチャネルの帯域幅及びサブキャリア数を決定するステップは、
この第１の機器がこのターゲットチャネルのサブキャリア数の取り得る値範囲内でこのターゲットチャネルのサブキャリア数を決定するステップと、
このターゲットチャネルのサブキャリア間隔を決定するステップと、
このターゲットチャネルのサブキャリア数及びサブキャリア間隔に基づき、このターゲットチャネルの帯域幅を決定するステップと、を含む。
【００１８】
第１の態様又は上記のいずれかの可能な実現形態に関連して、第１の態様の第１４の可能な実現形態では、この第１の機器は端末機器であり、この第１の機器がターゲットチャネルの帯域幅及びサブキャリア数を決定する前に、この方法は、
この第１の機器が、ネットワーク機器が送信した第２の指示情報を受信し、この第２の指示情報は、第１のチャネルタイプのチャネルに関して、この端末機器のレベル及び／又はタイプに対応するターゲットチャネルのサブキャリア数を指示するためのものであるステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１９】
第１の態様又は上記のいずれかの可能な実現形態に関連して、第１の態様の第１５の可能な実現形態では、このターゲットチャネルのサブキャリア間隔を決定するステップは、
複数の基本パラメータセットからターゲット基本パラメータセットを決定するステップと、
このターゲット基本パラメータセットからこのターゲットチャネルのサブキャリア間隔を決定するステップと、を含む。
【００２０】
第２の態様によれば、上記の第１の態様又は第１の態様の任意選択可能な実現形態における方法を実行するための信号伝送機器が提供される。具体的に、この信号伝送機器は、上記の第１の態様又は第１の態様のいずれかの可能な実現形態における方法を実行するためのユニットを備える。
【００２１】
第３の態様によれば、信号伝送機器が提供され、前記機器は、メモリ及びプロセッサーを備え、このメモリは、命令を記憶するために使用され、このプロセッサーは、このメモリに記憶されている命令を実行するために使用され、このプロセッサーがこのメモリに記憶されている命令を実行する際に、この実行により、このプロセッサーが第１の態様又は第１の態様の任意選択可能な実現形態おける方法を実行する。
【００２２】
第４の態様によれば、プログラムコードが記憶されているコンピュータ記憶媒体が提供され、このプログラムコードは、上記の第１の態様又は第１の態様の任意選択可能な実現形態における方法を実行するように指示するためのものである。
【００２３】
第５の態様によれば、通信システムが提供され、前記システムは、第１の態様に言及された第１の機器及び第２の機器を備える。
【発明の効果】
【００２４】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【図面の簡単な説明】
【００２５】
以下、本発明の実施例に係る技術手段をさらに明瞭に説明するために、実施例又は従来技術の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】本発明の実施例に係る信号伝送方法の概略フローチャートである。
【図２】本発明の実施例に係る信号伝送機器の概略ブロック図である。
【図３】本発明の実施例に係る信号伝送機器の概略ブロック図である。
【発明を実施するための形態】
【００２６】
以下は、本発明の実施例の図面を参考しながら、本発明の実施例の技術手段をより明確且つ完全に説明し、説明されている実施例は、本発明の実施例の一部に過ぎず、全てではないことは明らかである。本発明の実施例に基づいて、当業者が創造的な労働を付与しない前提で得られた他の実施例の全ては、本発明の保護範囲に属する。
【００２７】
本発明の各態様又は特徴は、方法、装置、又は標準プログラミング及び／又はエンジニアリング技術を使用した製品として実現されることができる。本発明に使用されている用語「製品」は、いずれかのコンピュータ読み取り可能なデバイス、キャリア又は媒体からアクセス可能なコンピュータプログラムを含む。例えば、コンピュータ読み取り可能な媒体は、磁気メモリデバイス（例えば、ハードディスク、フレキシブルディスク又は磁気テープ等）、光ディスク（例えば、ＣＤ（Ｃｏｍｐａｃｔ  Ｄｉｓｋ、コンパクトディスク）、ＤＶＤ（Ｄｉｇｉｔａｌ  Ｖｅｒｓａｔｉｌｅ  Ｄｉｓｋ、デジタル多用途ディスク）等）、スマートカード及びフラッシュメモリデバイス（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ、消去可能プログラマブル読み取り専用メモリ）、カード、スティック、又はキードライバ等）を含むがこれらに限定されない。また、本明細書に説明された様々な記憶媒体は、情報を記憶するための１つ又は複数の機器及び／又は他の機械読み取り可能な媒体を表してもよい。用語「機械読み取り可能な媒体」は、無線チャネル、及び命令及び／又はデータを記憶、含有及び／又は担持可能な様々な他の媒体を含むがこれらに限定されない。
【００２８】
本発明の技術手段は、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、アドバンストロングタームエボリューション（Ａｄｖａｎｃｅｄ  ｌｏｎｇ  ｔｅｒｍ  ｅｖｏｌｕｔｉｏｎ、ＬＴＥ−Ａ）システム、ユニバーサル移動体通信システム  （Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、５Ｇ等のような様々な通信システムに適用されることができる。
【００２９】
本発明の実施例の技術手段は、端末機器とネットワーク機器との通信に適用されることができ、また、端末機器ツー端末機器（Ｄｅｖｉｃｅ  ｔｏ  Ｄｅｖｉｃｅ、Ｄ２Ｄ）の通信にも適用されることができる。
【００３０】
本発明の実施例では、ネットワーク機器は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ）であってもよく、ＬＴＥにおける進化型基地局（ｅｖｏｌｖｅｄ  Ｎｏｄｅ  Ｂ、ｅＮＢ又はｅ−ＮｏｄｅＢ）であってもよく、５Ｇにおけるアクセスサービスを提供するための機器であってもよく、本発明の実施例では限定をしない。
【００３１】
本発明では、端末機器及びネットワーク機器に関連して各実施例を説明している。
【００３２】
端末機器は、ユーザ機器（ＵＥ、Ｕｓｅｒ  Ｅｑｕｉｐｍｅｎｔ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置等と称されてもよい。端末機器は、ＷＬＡＮ（Ｗｉｒｅｌｅｓｓ  Ｌｏｃａｌ  Ａｒｅａ  Ｎｅｔｗｏｒｋｓ、無線ＬＡＮ）におけるＳＴ（ＳＴＡＩＯＮ、ステーション）であってもよく、携帯電話、コードレス電話、ＳＩＰ（Ｓｅｓｓｉｏｎ  Ｉｎｉｔｉａｔｉｏｎ  Ｐｒｏｔｏｃｏｌ、セッション確立プロトコル）電話、ＷＬＬ（Ｗｉｒｅｌｅｓｓ  Ｌｏｃａｌ  Ｌｏｏｐ、ワイヤレスローカルループ）局、ＰＤＡ（Ｐｅｒｓｏｎａｌ  Ｄｉｇｉｔａｌ  Ａｓｓｉｓｔａｎｔ、携帯情報端末）、無線通信機能のあるハンドヘルド機器、計算機器又は無線モデムに接続する他の処理機器、車載機器、ウェアラブル機器及び未来５Ｇネットワークにおける端末機器又は未来進化のＰＬＭＮネットワークにおける端末機器等であってもよい。
【００３３】
ネットワーク機器は、端末機器と通信するための機器であってもよく、ネットワーク機器は、ＷＬＡＮ（Ｗｉｒｅｌｅｓｓ  Ｌｏｃａｌ  Ａｒｅａ  Ｎｅｔｗｏｒｋｓ、無線ＬＡＮ）におけるＡＰ（ＡＣＣＥＳＳ  ＰＯＩＮＴ、アクセスポイント）、ＧＳＭ又はＣＤＭＡ（Ｃｏｄｅ  Ｄｉｖｉｓｉｏｎ  Ｍｕｌｔｉｐｌｅ  Ａｃｃｅｓｓ、符号分割多元接続）におけるＢＴＳ（Ｂａｓｅ  Ｔｒａｎｓｃｅｉｖｅｒ  Ｓｔａｔｉｏｎ、基地局）であってもよく、ＷＣＤＭＡにおけるＮＢ（ＮｏｄｅＢ、基地局）であってもよく、ＬＴＥ（Ｌｏｎｇ  Ｔｅｒｍ  Ｅｖｏｌｕｔｉｏｎ、ロングタームエボリューション）におけるｅＮＢ又はｅＮｏｄｅＢ（Ｅｖｏｌｕｔｉｏｎａｌ  Ｎｏｄｅ  Ｂ、進化型基地局）、又は中継局又はアクセスポイント、又は車載機器、ウェアラブル機器及び未来５Ｇネットワークにおけるネットワーク機器又は未来進化のＰＬＭＮネットワークにおけるネットワーク機器等であってもよい。
【００３４】
本発明の実施例に言及された基本パラメータセットは、
サブキャリア間隔、特定の帯域幅でのサブキャリア数、物理リソースブロック（Ｐｈｙｓｉｃａｌ  Ｒｅｓｏｕｒｃｅ  Ｂｌｏｃｋ、ＰＲＢ）におけるサブキャリア数、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）符号の長さ、例えば、高速フーリエ変換（Ｆａｓｔ  Ｆｏｕｒｉｅｒ  Ｔｒａｎｓｆｏｒｍ、ＦＦＴ）又は逆フーリエ変換例えば逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）のようなＯＦＤＭ信号を生成するためのフーリエ変換の点数、伝送時間間隔ＴＴＩにおけるＯＦＤＭ符号数、特定の時間長さ内に含まれるＴＴＩの数及び信号プレフィックスの長さのうちの少なくとも１つを含んでもよい。
【００３５】
ここで、サブキャリア間隔とは、隣接するサブキャリアの周波数間隔であり、例えば１５ｋＨｚ、６０ｋＨｚ等であり、特定の帯域幅でのサブキャリア数は、例えばそれぞれの可能なシステム帯域幅に対応するサブキャリア数であり、ＰＲＢに含まれるサブキャリア数は、例えば典型的に１２の整数倍であってもよく、ＴＴＩに含まれるＯＦＤＭ符号数は、例えば典型的に１４の整数倍であってもよく、一定の時間単位内に含まれるＴＴＩ数は、１ｍｓ又は１０ｍｓの時間長さ内に含まれるＴＴＩ数を示してもよく、信号プレフィックス長さは、例えば信号のサイクリックプレフィックスの時間長さ、又はサイクリックプレフィックスとして通常のＣＰを使用するか拡張ＣＰを使用するかに関する。
【００３６】
図１は、本発明の実施例に係る信号伝送方法１００の概略フローチャートである。この方法１００は、ターゲットチャネルを利用した信号の受信又は送信に用いられることができ、ここで、第１の機器が端末機器であって、第２の機器がネットワーク機器であってもよく、又は、第１の機器が端末機器であって、第２の機器がネットワーク機器であってもよく、又は第１の機器が端末機器であって、第２の機器も端末機器であってもよい。
【００３７】
図１に示すように、この方法１００は、１１０及び１２０を含む。
【００３８】
１１０では、第１の機器がターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定され、
１２０では、この第１の機器がこのターゲットチャネルの帯域幅及びサブキャリア数に基づき、このターゲットチャネルを介して第２の機器に信号を送信し、又はこの第２の機器がこのターゲットチャネルを介して送信した信号を受信し、ここで、この第１の機器及びこの第２の機器の少なくとも１つは端末機器である。
【００３９】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【００４０】
選択的に、このターゲットチャネルは、端末機器によりアクセスされるチャネルである。
【００４１】
選択的に、端末機器によりアクセスされるチャネルは、ターゲットチャネルが同期チャネル、ランダムアクセスチャネル又はシステム情報を伝送するためのチャネルであってもよい。
【００４２】
本発明に言及されたターゲットチャネルは、端末機器によりアクセスされるチャネル以外に、また他のチャネルであってもよいことが理解されるべきである。
【００４３】
選択的に、本発明の実施例では、異なるチャネルタイプに対応する帯域幅及び／又はサブキャリア数の範囲は異なっていてもよい。
【００４４】
選択的に、本発明の実施例に言及された信号は、上り信号又は下り信号であってもよい。
【００４５】
一実現形態では、この信号が下り信号である場合、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【００４６】
この実現形態では、第１の機器が端末機器であって、第２の機器がネットワーク機器であってもよく、この場合、この端末機器はこのネットワーク機器が送信した下り信号を受信する。又は、この実現形態では、第１の機器がネットワーク機器であって、第２の機器が端末機器であってもよく、この場合、このネットワーク機器はこの端末機器に下り信号を送信する。
【００４７】
別の実現形態では、この信号は上り信号であり、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。
【００４８】
この実現形態では、第１の機器がネットワーク機器であって、第２の機器が端末機器であってもよく、この場合、このネットワーク機器はこの端末機器が送信した上り信号を受信でき、又は、この実現形態では、第１の機器が端末機器であって、第２の機器がネットワーク機器であってもよく、この場合、この端末機器はこのネットワーク機器に上り信号を送信できる。
【００４９】
選択的に、本発明の実施例に言及された信号は、またＤ２Ｄ信号であってもよく、例えば、端末機器が送信したディスカバリ（ｄｉｓｃｏｖｅｒｙ）信号であってもよく、他の端末機器のアクセスのために使用される。
【００５０】
この実現形態では、前記第１の機器は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００５１】
選択的に、本発明の実施例では、このターゲットチャネルは、第１のチャネルタイプに属し、この第１のチャネルタイプは、複数のチャネルを含み、異なるチャネルは異なるレベル及び／又はタイプの端末機器に対応する。
【００５２】
つまり、あるチャネルタイプを複数のチャネルに区分し、異なるチャネルは異なるレベル及び／又はタイプの端末機器により使用されることができ、これにより、さらにリソースの浪費を回避し、異なるタイプ及び／又はレベルの端末機器の伝送要求を満たすことができる。
【００５３】
選択的に、本発明の実施例では、ネットワーク機器が、異なるレベル及び／又はタイプの端末機器が第１のチャネルタイプのチャネルを使用するときに採用する帯域幅の取り得る値範囲を通知する。
【００５４】
選択的に、本発明の実施例では、ネットワーク機器が、異なるレベル及び／又はタイプの端末機器が第１のチャネルタイプのチャネルを使用するときに採用するサブキャリア数の取り得る値範囲を通知する。
【００５５】
選択的に、本発明の実施例では、ネットワーク機器は、ブロードキャスト、マルチキャスト又はプロプライエタリシグナリングの方式によって、異なるレベル及び／又はタイプの端末機器が第１のチャネルタイプのチャネルを使用するときに採用する帯域幅又はサブキャリア間隔の取り得る値範囲を通知できる。
【００５６】
選択的に、本発明の実施例では、ネットワーク機器は、物理下り制御チャネルを介して異なるレベル及び／又はタイプの端末機器が第１のチャネルタイプのチャネルを使用するときに採用するサブキャリア数の取り得る値範囲及び／又は帯域幅の取り得る値範囲を通知できる。
【００５７】
本発明の実施例に言及されたサブキャリア数の取り得る値範囲又は帯域幅の取り得る値範囲は、１つの数値のみ含んでもよく、又は有限数値を含む集合であってもよく、又は無限数値を含む１つの集合であってもよく、本発明の実施例はこれについて限定をしないことが理解されるべきである。
【００５８】
選択的に、本発明の実施例では、第１の機器は、ターゲットチャネルの帯域幅と連携して、ターゲットチャネルのサブキャリア数を決定するために、基本パラメータセットからターゲットチャネルのサブキャリア間隔を決定できる。
【００５９】
具体的に、Ｎｓｃ，ｉ＝ＢＷａｃ／ｆｓｃ，ｉの式に従ってサブキャリア数Ｎ  ｓｃ，ｉを決定でき、ただし、ＢＷａｃはターゲットチャネルの帯域幅であり、ｆｓｃ，ｉはターゲットチャネルのサブキャリア間隔である。
【００６０】
選択的に、本発明の実施例では、第１の機器は、ターゲットチャネルのサブキャリア数と連携して、ターゲットチャネルの帯域幅を決定するために、基本パラメータセットからターゲットチャネルのサブキャリア間隔を決定できる。
【００６１】
具体的に、ＢＷａｃ，ｉ＝ｆｓｃ，ｊ＊Ｎｓｃ，ｉの式に従ってターゲットチャネルの帯域幅を決定でき、ただし、ｆｓｃ，ｊはターゲットチャネルのサブキャリア間隔であり、Ｎｓｃ，ｉはターゲットチャネルのサブキャリア数である。
【００６２】
本発明の実施例では、第１の機器は、複数の基本パラメータセットからターゲット基本パラメータセットを選択し、ターゲット基本パラメータセットからターゲットチャネルのサブキャリア間隔を決定できる。
【００６３】
以下、本発明の理解を容易にするために、第２の機器を端末機器として本発明の実施例に係る信号伝送方法を説明する。
【００６４】
以下に説明される信号伝送方法におけるターゲットチャネル（上り信号、下り信号又はＤ２Ｄ信号を伝送する）の帯域幅の取り得る値範囲が下記の条件を満たしてもよいことが理解されるべきである。
【００６５】
信号が下り信号である場合、このターゲットチャネルの帯域幅は、このターゲットチャネルを使用する端末機器のレベル及び／又はタイプに対応する最小帯域幅以下であり、及び／又は、このターゲットチャネルのサブキャリア数は、このターゲットチャネルを使用する端末機器のレベル及び／又はタイプに対応する最小サブキャリア数以下である。信号が上り信号である場合、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。信号がＤ２Ｄ信号である場合、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００６６】
ここで、前記第１の機器はネットワーク機器又は端末機器であってもよく、第１の機器が端末機器である場合、第１の機器と第２の機器の間の通信はＤ２Ｄ通信と称されてもよい。
【００６７】
一実現形態では、この第１の機器は、この端末機器のレベル及び／又はタイプに基づき、このターゲットチャネルの帯域幅の取り得る値範囲を決定し、このターゲットチャネルの帯域幅の取り得る値範囲内でこのターゲットチャネルの帯域幅を決定し、このターゲットチャネルのサブキャリア間隔を決定し、このターゲットチャネルの帯域幅及びこのターゲットチャネルのサブキャリア間隔に基づき、このターゲットチャネルのサブキャリア数を決定し、ターゲットチャネルのサブキャリア数及びチャネル帯域幅に基づき、ターゲットチャネルを介して信号の受信又は送信を行う。
【００６８】
選択的に、この実現形態では、ネットワーク機器は、異なるレベル及び／又はタイプの端末機器が第１のチャネルタイプのチャネルを使用するときに採用する帯域幅の取り得る値範囲を通知できる。
【００６９】
ここで、第１の機器が端末機器である場合、第１の機器は、ネットワーク機器の通知に基づき、この第２の機器と通信する必要があるときに、第２の機器のレベル及び／又はタイプを判断し、このレベル及び／又はタイプに対応する帯域幅の取り得る値範囲を決定できる。
【００７０】
第１の機器がネットワーク機器である場合、このネットワーク機器は、異なるレベル及び／又はタイプの端末機器が第１のチャネルタイプのチャネルを使用するときに採用する帯域幅の取り得る値範囲を通知し、あるレベル及び／又はタイプの端末機器と信号伝送を行うときに、このレベル及び／又はタイプの端末機器に対応する帯域幅の取り得る値範囲を探索できる。
【００７１】
別の実現形態では、この第１の機器は、この端末機器のレベル及び／又はタイプに基づき、このターゲットチャネルのサブキャリア数の取り得る値範囲を決定し、このターゲットチャネルのサブキャリア数の取り得る値範囲内でこのターゲットチャネルのサブキャリア数を決定し、このターゲットチャネルのサブキャリア間隔を決定し、このターゲットチャネルのサブキャリア数及びこのターゲットチャネルのサブキャリア間隔に基づき、このターゲットチャネルの帯域幅を決定し、ターゲットチャネルのサブキャリア数及びチャネル帯域幅に基づき、ターゲットチャネルを介して信号の受信又は送信を行う。
【００７２】
選択的に、この実現形態では、ネットワーク機器は、異なるレベル及び／又はタイプの端末機器が第１のチャネルタイプのチャネルを使用するときに採用するサブキャリア数の取り得る値範囲をブロードキャストできる。
【００７３】
ここで、第１の機器が端末機器である場合、第１の機器は、ネットワーク機器の通知に基づき、この第２の機器と通信する必要があるときに、第１の機器のレベル及び／又はタイプを判断し、このレベル及び／又はタイプに対応するサブキャリア数の取り得る値範囲を決定できる。
【００７４】
第１の機器がネットワーク機器である場合、このネットワーク機器は、異なるレベル及び／又はタイプの端末機器が第１のチャネルタイプのチャネルを使用するときに採用するサブキャリア数の取り得る値範囲を通知でき、あるレベル及び／又はタイプの端末機器と信号伝送を行うときに、このレベル及び／又はタイプの端末機器に対応するサブキャリア数の取り得る値範囲を探索できる。
【００７５】
以下、第１の機器を端末機器として本発明の実施例の信号伝送方法を詳細に説明する。以下に説明される信号伝送方法におけるターゲットチャネル（上り信号、下り信号又はＤ２Ｄ信号を伝送する）の帯域幅の取り得る値範囲が下記の条件を満たしてもよいことが理解されるべきである。
【００７６】
信号が下り信号である場合、このターゲットチャネルの帯域幅は、このターゲットチャネルを使用する端末機器のレベル及び／又はタイプに対応する最小帯域幅以下であり、及び／又は、このターゲットチャネルのサブキャリア数は、このターゲットチャネルを使用する端末機器のレベル及び／又はタイプに対応する最小サブキャリア数以下である。信号が上り信号である場合、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。信号がＤ２Ｄ信号である場合、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００７７】
ここで、前記第２の機器はネットワーク機器又は端末機器であってもよく、第２の機器が端末機器である場合、第１の機器と第２の機器の間の通信はＤ２Ｄ通信と称されてもよい。
【００７８】
一実現形態では、前記端末機器が前記ターゲットチャネルの帯域幅の取り得る値範囲内で前記ターゲットチャネルの帯域幅を決定し、前記ターゲットチャネルのサブキャリア間隔を決定し、前記端末機器が前記ターゲットチャネルの帯域幅及び前記ターゲットチャネルのサブキャリア間隔に基づき、前記ターゲットチャネルのサブキャリア数を決定し、ターゲットチャネルのサブキャリア数及びチャネル帯域幅に基づき、ターゲットチャネルを介して信号の受信又は送信を行う。
【００７９】
選択的に、この実現形態では、ネットワーク機器は、異なるレベル及び／又はタイプの端末機器が第１のチャネルタイプのチャネルを使用するときに採用する帯域幅の取り得る値範囲を通知できる。端末機器は、ネットワーク機器の通知により、第１のチャネルタイプの自身のレベル及び／又はタイプに対応するチャネル帯域幅を取得できる。
【００８０】
別の実現形態では、前記端末機器は、前記ターゲットチャネルのサブキャリア数の取り得る値範囲内で前記ターゲットチャネルのサブキャリア数を決定し、前記ターゲットチャネルのサブキャリア間隔を決定し、前記ターゲットチャネルのサブキャリア数及びサブキャリア間隔に基づき、前記ターゲットチャネルの帯域幅を決定し、ターゲットチャネルのサブキャリア数及びチャネル帯域幅に基づき、ターゲットチャネルを介して信号の受信又は送信を行う。
【００８１】
選択的に、この実現形態では、ネットワーク機器は、異なるレベル及び／又はタイプの端末機器が第１のチャネルタイプのチャネルを使用するときに採用するサブキャリア数の取り得る値範囲を通知できる。端末機器は、ネットワーク機器の通知により、第１のチャネルタイプの自身のレベル及び／又はタイプに対応するサブキャリア数を取得できる。
【００８２】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【００８３】
図２は、本発明の実施例に係る信号伝送機器２００の概略ブロック図である。図２に示すように、この機器２００は、処理ユニット２１０及び送受信ユニット２２０を備える。この機器２００は、第１の機器と称されてもよい。
【００８４】
ここで、処理ユニット２１０は、ターゲットチャネルの帯域幅及びサブキャリア数を決定するために使用され、ここで、このターゲットチャネルの帯域幅又はサブキャリア数は、このターゲットチャネルを使用する端末機器のレベル及び／又はタイプにより決定され、
送受信ユニット２２０は、このターゲットチャネルの帯域幅及びサブキャリア数に基づき、このターゲットチャネルを介して第２の機器に信号を送信し、又はこの第２の機器がこのターゲットチャネルを介して送信した信号を受信するために使用され、ここで、この機器２００及びこの第２の機器のうちの少なくとも１つは端末機器である。
【００８５】
選択的に、このターゲットチャネルは、端末機器によりアクセスされるチャネルである。
【００８６】
選択的に、このターゲットチャネルは、同期チャネル、ランダムアクセスチャネル又はシステム情報を伝送するためのチャネルである。
【００８７】
選択的に、この信号は下り信号であり、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【００８８】
選択的に、この信号は上り信号であり、このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【００８９】
選択的に、この信号は、Ｄ２Ｄ信号であってもよく、例えば、端末機器が送信したディスカバリ（ｄｉｓｃｏｖｅｒｙ）信号であってもよく、他の端末機器のアクセスのために使用される。
【００９０】
この実現形態では、機器２００は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００９１】
選択的に、このターゲットチャネルは、第１のチャネルタイプに属し、この第１のチャネルタイプは、複数のチャネルを含み、異なるチャネルは端末機器の異なるレベル及び／又はタイプに対応する。
【００９２】
選択的に、この第２の機器は端末機器であり、この処理ユニット２１０は、具体的に、
この第２の機器のレベル及び／又はタイプに基づき、このターゲットチャネルの帯域幅の取り得る値範囲を決定し、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定するために使用される。
【００９３】
選択的に、この機器２００はネットワーク機器であり、この送受信ユニット２２０は、また、
異なるレベル及び／又はタイプの端末機器が第１のチャネルタイプのチャネルを使用するときに採用する帯域幅の取り得る値範囲を通知するために使用され、ここで、このターゲットチャネルは、第１のチャネルタイプに属し、この第１のチャネルタイプは、複数のチャネルを含み、異なるチャネルは異なるレベル及び／又はタイプの端末機器に対応する。
【００９４】
選択的に、この第２の機器は端末機器であり、
この処理ユニット２１０は、具体的に、
この第２の機器のレベル及び／又はタイプに基づき、このターゲットチャネルのサブキャリア数の取り得る値範囲を決定し、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びこのターゲットチャネルのサブキャリア間隔に基づき、このターゲットチャネルの帯域幅を決定するために使用される。
【００９５】
選択的に、この機器２００はネットワーク機器であり、この送受信ユニット２２０は、また、
異なるレベル及び／又はタイプの端末機器が第１のチャネルタイプのチャネルを使用するときに採用するサブキャリア数の取り得る値範囲を通知するために使用され、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００９６】
選択的に、この機器２００は端末機器であり、この処理ユニット２１０は、また、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定するために使用される。
【００９７】
選択的に、この機器２００は端末機器であり、この送受信ユニット２２０は、また、
ネットワーク機器が送信した第１の指示情報を受信するために使用され、この第１の指示情報は、第１のチャネルタイプのチャネルに関して、この端末機器のレベル及び／又はタイプに対応するサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００９８】
選択的に、この機器２００は端末機器であり、
この処理ユニット２１０は、また、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びサブキャリア間隔に基づき、このターゲットチャネルの帯域幅を決定するために使用される。
【００９９】
選択的に、この機器２００は端末機器であり、この送受信ユニット２２０は、また、
ネットワーク機器が送信した第２の指示情報を受信するために使用され、この第２の指示情報は、第１のチャネルタイプのチャネルに関して、この端末機器のレベル及び／又はタイプに対応するターゲットチャネルのサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１００】
選択的に、この処理ユニット２１０は、具体的に、
複数の基本パラメータセットからターゲット基本パラメータセットを決定し、
このターゲット基本パラメータセットからこのターゲットチャネルのサブキャリア間隔を決定するために使用される。
【０１０１】
この機器２００は、方法１００における第１の機器に対応されることができ、この方法１００における第１の機器に対応する機能を実現できることが理解されるべきであり、簡潔にするために、ここで詳細な説明を省略する。
【０１０２】
図３は、本発明の実施例に係る信号伝送機器３００の概略ブロック図である。この機器３００は、プロセッサー３１０、メモリ３２０及び送受信器３３０を備える。メモリ３２０は、プログラム命令を格納するために使用される。プロセッサー３１０は、メモリ３２０に格納されているプログラム命令を呼び出すことができる。送受信器３３０は外部と通信するために使用され、選択的に、機器３００は、プロセッサー３１０、メモリ３２０及び送受信器３３０を相互接続させるバスシステム３４０をさらに備える。この機器は第１の機器と称されてもよい。
【０１０３】
具体的に、プロセッサー３１０は、メモリ３２０に記憶されている命令を呼び出して、下記の操作を実行するために使用され、
ターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定され、
このターゲットチャネルの帯域幅及びサブキャリア数に基づき、送受信器３３０を利用してこのターゲットチャネルを介して第２の機器に信号を送信し、又はこの第２の機器がこのターゲットチャネルを介して送信した信号を受信し、ここで、この第１の機器及びこの第２の機器の少なくとも１つは端末機器である。
【０１０４】
選択的に、このターゲットチャネルは、端末機器によりアクセスされるチャネルである。
【０１０５】
選択的に、このターゲットチャネルは、同期チャネル、ランダムアクセスチャネル又はシステム情報を伝送するためのチャネルである。
【０１０６】
選択的に、この信号は下り信号であり、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【０１０７】
選択的に、この信号は上り信号であり、このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【０１０８】
選択的に、この信号は、Ｄ２Ｄ信号であってもよく、例えば、端末機器が送信したディスカバリ（ｄｉｓｃｏｖｅｒｙ）信号であってもよく、他の端末機器のアクセスのために使用される。
【０１０９】
この実現形態では、機器２００は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【０１１０】
選択的に、このターゲットチャネルは、第１のチャネルタイプに属し、この第１のチャネルタイプは、複数のチャネルを含み、異なるチャネルは異なるレベル及び／又はタイプの端末機器に対応する。
【０１１１】
選択的に、この第２の機器は端末機器であり、プロセッサー３１０は、メモリ３２０に記憶されている命令を呼び出して、下記の操作を実行するために使用され、
この第２の機器のレベル及び／又はタイプに基づき、このターゲットチャネルの帯域幅の取り得る値範囲を決定し、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定する。
【０１１２】
選択的に、この第１の機器はネットワーク機器であり、プロセッサー３１０は、メモリ３２０に記憶されている命令を呼び出して、下記の操作を実行するために使用され、
送受信器３３０を利用して異なるレベル及び／又はタイプの端末機器が第１のチャネルタイプのチャネルを使用するときに採用する帯域幅の取り得る値範囲を通知し、ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１３】
選択的に、この第２の機器は端末機器であり、プロセッサー３１０は、メモリ３２０に記憶されている命令を呼び出して、下記の操作を実行するために使用され、
この第２の機器のレベル及び／又はタイプに基づき、このターゲットチャネルのサブキャリア数の取り得る値範囲を決定し、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びこのターゲットチャネルのサブキャリア間隔に基づき、このターゲットチャネルの帯域幅を決定する。
【０１１４】
選択的に、この第１の機器はネットワーク機器であり、プロセッサー３１０は、メモリ３２０に記憶されている命令を呼び出して、下記の操作を実行するために使用され、
送受信器３３０を利用して異なるレベル及び／又はタイプの端末機器が第１のチャネルタイプのチャネルを使用するときに採用するサブキャリア数の取り得る値範囲を通知し、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１５】
選択的に、この第１の機器は端末機器であり、プロセッサー３１０は、メモリ３２０に記憶されている命令を呼び出して、下記の操作を実行するために使用され、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定する。
【０１１６】
選択的に、プロセッサー３１０は、メモリ３２０に記憶されている命令を呼び出して、下記の操作を実行するために使用され、
送受信器３３０を利用してネットワーク機器が送信した第１の指示情報を受信し、この第１の指示情報は、第１のチャネルタイプのチャネルに関して、この端末機器のレベル及び／又はタイプに対応するサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１７】
選択的に、この第１の機器は端末機器であり、プロセッサー３１０は、メモリ３２０に記憶されている命令を呼び出して、下記の操作を実行するために使用され、
この第１の機器がこのターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びサブキャリア間隔に基づき、このターゲットチャネルの帯域幅を決定する。
【０１１８】
選択的に、この第１の機器は端末機器であり、プロセッサー３１０は、メモリ３２０に記憶されている命令を呼び出して、下記の操作を実行するために使用され、
この第１の機器が、ネットワーク機器が送信した第２の指示情報を受信し、この第２の指示情報は、第１のチャネルタイプのチャネルに関して、この端末機器のレベル及び／又はタイプに対応するターゲットチャネルのサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１９】
選択的に、プロセッサー３１０は、メモリ３２０に記憶されている命令を呼び出して、下記の操作を実行するために使用され、
複数の基本パラメータセットからターゲット基本パラメータセットを決定し、
このターゲット基本パラメータセットからこのターゲットチャネルのサブキャリア間隔を決定する。
【０１２０】
この機器３００は、方法１００における第１の機器に対応されることができ、この方法１００における第１の機器に対応する機能を実現できることが理解されるべきであり、簡潔にするために、ここで詳細な説明を省略する。
【０１２１】
本発明の実施例によれば、通信システムが提供され、前記システムは、上記に言及されたいずれかの第１の機器及び第２の機器を含む。
【０１２２】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１２３】
当業者であれば、説明の便宜及び簡潔さのために、上述のシステム、装置及びユニットの具体的な作業プロセスは、前述の方法の実施例における対応するプロセスを参照することができ、ここで詳細な説明を省略することを理解することができる。
【０１２４】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１２５】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１２６】
なお、本発明の各実施例における各機能ユニットは、１つの処理ユニットに集積されていてもよく、各ユニットが単独に物理的に存在していてもよく、２つ又は２つ以上のユニットが１つのユニットに集積されていてもよい。
【０１２７】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等のプログラムコードを記憶可能な様々な媒体を含む。
【０１２８】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2019530259.tif 000003
【図２】
2019530259.tif 000004
【図３】
2019530259.tif 000005
【手続補正書】
【提出日】平成31年2月7日(2019.2.7)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に信号伝送方法及び機器に関する。
【背景技術】
【０００２】
ネットワークの発展に伴い、サービス需要量が増加し続け、サービス要求種類も増加し続けており、従来のネットワーク標準通信プロトコルにおいてネットワーク機器と端末機器がスペクトルを利用して信号を伝送する場合、統一的な帯域幅又はサブキャリア数を採用して信号を送信するため、異なる幅のスペクトル帯域幅を充分に利用できず、リソースが浪費される。
【発明の概要】
【発明が解決しようとする課題】
【０００３】
本発明の実施例は、リソースの浪費を回避できる信号伝送方法及び機器を提供する。
【課題を解決するための手段】
【０００４】
第１の態様によれば、信号伝送方法が提供され、前記方法は、
第１の機器がターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定されるステップと、
この第１の機器がこのターゲットチャネルの帯域幅及びサブキャリア数に基づき、このターゲットチャネルを介して第２の機器に信号を送信し、又はこの第２の機器がこのターゲットチャネルを介して送信した信号を受信し、ここで、この第１の機器及びこの第２の機器のうちの少なくとも１つは端末機器であるステップと、を含む。
【０００５】
第１の態様に関連して、第１の態様の第１の可能な実現形態では、このターゲットチャネルは、端末機器によりアクセスされるチャネルである。
【０００６】
第１の態様又は上記のいずれかの可能な実現形態に関連して、第１の態様の第２の可能な実現形態では、このターゲットチャネルは、同期チャネル、ランダムアクセスチャネル又はシステム情報を伝送するためのチャネルである。
【０００７】
第１の態様又は上記のいずれかの可能な実現形態に関連して、第１の態様の第３の可能な実現形態では、この信号は下り信号であり、
このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【０００８】
第１の態様又は上記のいずれかの可能な実現形態に関連して、第１の態様の第４の可能な実現形態では、この信号は上り信号であり、
このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【０００９】
第１の態様又は上記のいずれかの可能な実現形態に関連して、第１の態様の第５の可能な実現形態では、
前記第１の機器は端末機器であり、且つ前記第２の機器も端末機器であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である。
【００１０】
第１の態様又は上記のいずれかの可能な実現形態に関連して、第１の態様の第６の可能な実現形態では、このターゲットチャネルは、第１のチャネルタイプに属し、この第１のチャネルタイプは、複数のチャネルを含み、異なるチャネルは端末機器の異なるレベル及び／又はタイプに対応する。
【００１１】
第１の態様又は上記のいずれかの可能な実現形態に関連して、第１の態様の第７の可能な実現形態では、この第２の機器は端末機器であり、
この第１の機器がターゲットチャネルの帯域幅及びサブキャリア数を決定するステップは、
この第１の機器がこの第２の機器のレベル及び／又はタイプに基づき、このターゲット  チャネルの帯域幅の取り得る値範囲を決定するステップと、
このターゲットチャネルの帯域幅の取り得る値範囲内でこのターゲットチャネルの帯域幅を決定するステップと、
このターゲットチャネルのサブキャリア間隔を決定するステップと、
このターゲットチャネルの帯域幅及びこのターゲットチャネルのサブキャリア間隔に基づき、このターゲットチャネルのサブキャリア数を決定するステップと、を含む。
【００１２】
第１の態様又は上記のいずれかの可能な実現形態に関連して、第１の態様の第８の可能な実現形態では、この第１の機器はネットワーク機器であり、この方法は、
この第１の機器が、異なるレベル及び／又はタイプの端末機器が第１のチャネルタイプのチャネルを使用するときに採用する帯域幅の取り得る値範囲を通知するステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１３】
第１の態様又は上記のいずれかの可能な実現形態に関連して、第１の態様の第９の可能な実現形態では、この第２の機器は端末機器であり、
この第１の機器がターゲットチャネルの帯域幅及びサブキャリア数を決定するステップは、
この第１の機器がこの第２の機器のレベル及び／又はタイプに基づき、このターゲットチャネルのサブキャリア数の取り得る値範囲を決定するステップと、
このターゲットチャネルのサブキャリア数の取り得る値範囲内でこのターゲットチャネルのサブキャリア数を決定するステップと、
このターゲットチャネルのサブキャリア間隔を決定するステップと、
このターゲットチャネルのサブキャリア数及びこのターゲットチャネルのサブキャリア間隔に基づき、このターゲットチャネルの帯域幅を決定するステップと、を含む。
【００１４】
第１の態様又は上記のいずれかの可能な実現形態に関連して、第１の態様の第１０の可能な実現形態では、この第１の機器はネットワーク機器であり、この方法は、
この第１の機器が、異なるレベル及び／又はタイプの端末機器が第１のチャネルタイプのチャネルを使用するときに採用するサブキャリア数の取り得る値範囲を通知するステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１５】
第１の態様又は上記のいずれかの可能な実現形態に関連して、第１の態様の第１１の可能な実現形態では、この第１の機器は端末機器であり、
この第１の機器がターゲットチャネルの帯域幅及びサブキャリア数を決定するステップは、
この第１の機器がこのターゲットチャネルの帯域幅の取り得る値範囲内でこのターゲットチャネルの帯域幅を決定するステップと、
このターゲットチャネルのサブキャリア間隔を決定するステップと、
この第１の機器がこのターゲットチャネルの帯域幅及びこのターゲットチャネルのサブキャリア間隔に基づき、このターゲットチャネルのサブキャリア数を決定するステップと、を含む。
【００１６】
第１の態様又は上記のいずれかの可能な実現形態に関連して、第１の態様の第１２の可能な実現形態では、この第１の機器は端末機器であり、この第１の機器がターゲットチャネルの帯域幅及びサブキャリア数を決定する前に、この方法は、
この第１の機器が、ネットワーク機器が送信した第１の指示情報を受信し、この第１の指示情報は、第１のチャネルタイプのチャネルに関して、この端末機器のレベル及び／又はタイプに対応するサブキャリア数を指示するためのものであるステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１７】
第１の態様又は上記のいずれかの可能な実現形態に関連して、第１の態様の第１３の可能な実現形態では、この第１の機器は端末機器であり、
この第１の機器がターゲットチャネルの帯域幅及びサブキャリア数を決定するステップは、
この第１の機器がこのターゲットチャネルのサブキャリア数の取り得る値範囲内でこの  ターゲットチャネルのサブキャリア数を決定するステップと、
このターゲットチャネルのサブキャリア間隔を決定するステップと、
このターゲットチャネルのサブキャリア数及びサブキャリア間隔に基づき、このターゲットチャネルの帯域幅を決定するステップと、を含む。
【００１８】
第１の態様又は上記のいずれかの可能な実現形態に関連して、第１の態様の第１４の可能な実現形態では、この第１の機器は端末機器であり、この第１の機器がターゲットチャネルの帯域幅及びサブキャリア数を決定する前に、この方法は、
この第１の機器が、ネットワーク機器が送信した第２の指示情報を受信し、この第２の指示情報は、第１のチャネルタイプのチャネルに関して、この端末機器のレベル及び／又はタイプに対応するターゲットチャネルのサブキャリア数を指示するためのものであるステップをさらに含み、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００１９】
第１の態様又は上記のいずれかの可能な実現形態に関連して、第１の態様の第１５の可能な実現形態では、このターゲットチャネルのサブキャリア間隔を決定するステップは、
複数の基本パラメータセットからターゲット基本パラメータセットを決定するステップと、
このターゲット基本パラメータセットからこのターゲットチャネルのサブキャリア間隔を決定するステップと、を含む。
【００２０】
第２の態様によれば、上記の第１の態様又は第１の態様の任意選択可能な実現形態における方法を実行するための信号伝送機器が提供される。具体的に、この信号伝送機器は、  上記の第１の態様又は第１の態様のいずれかの可能な実現形態における方法を実行するためのユニットを備える。
【００２１】
第３の態様によれば、信号伝送機器が提供され、前記機器は、メモリ及びプロセッサーを備え、このメモリは、命令を記憶するために使用され、このプロセッサーは、このメモリに記憶されている命令を実行するために使用され、このプロセッサーがこのメモリに記憶されている命令を実行する際に、この実行により、このプロセッサーが第１の態様又は第１の態様の任意選択可能な実現形態おける方法を実行する。
【００２２】
第４の態様によれば、プログラムコードが記憶されているコンピュータ記憶媒体が提供され、このプログラムコードは、上記の第１の態様又は第１の態様の任意選択可能な実現形態における方法を実行するように指示するためのものである。
【００２３】
第５の態様によれば、通信システムが提供され、前記システムは、第１の態様に言及された第１の機器及び第２の機器を備える。
【発明の効果】
【００２４】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【図面の簡単な説明】
【００２５】
以下、本発明の実施例に係る技術手段をさらに明瞭に説明するために、実施例又は従来技術の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】本発明の実施例に係る信号伝送方法の概略フローチャートである。
【図２】本発明の実施例に係る信号伝送機器の概略ブロック図である。
【図３】本発明の実施例に係る信号伝送機器の概略ブロック図である。
【発明を実施するための形態】
【００２６】
以下は、本発明の実施例の図面を参考しながら、本発明の実施例の技術手段をより明確且つ完全に説明し、説明されている実施例は、本発明の実施例の一部に過ぎず、全てではないことは明らかである。本発明の実施例に基づいて、当業者が創造的な労働を付与しない前提で得られた他の実施例の全ては、本発明の保護範囲に属する。
【００２７】
本発明の各態様又は特徴は、方法、装置、又は標準プログラミング及び／又はエンジニアリング技術を使用した製品として実現されることができる。本発明に使用されている用語「製品」は、いずれかのコンピュータ読み取り可能なデバイス、キャリア又は媒体からアクセス可能なコンピュータプログラムを含む。例えば、コンピュータ読み取り可能な媒体は、磁気メモリデバイス（例えば、ハードディスク、フレキシブルディスク又は磁気テープ等）、光ディスク（例えば、ＣＤ（Ｃｏｍｐａｃｔ  Ｄｉｓｋ、コンパクトディスク）、ＤＶＤ（Ｄｉｇｉｔａｌ  Ｖｅｒｓａｔｉｌｅ  Ｄｉｓｋ、デジタル多用途ディスク）等）、スマートカード及びフラッシュメモリデバイス（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ、消去可能プログラマブル読み取り専用メモリ）、カード、スティック、又はキードライバ等）を含むがこれらに限定されない。また、本明細書に説明された様々な記憶媒体は、情報を記憶するための１つ又は複数の機器及び／又は他の機械読み取り可能な媒体を表してもよい。用語「機械読み取り可能な媒体」は、無線チャネル、及び命令及び／又はデータを記憶、含有及び／又は担持可能な様々な他の媒体を含むがこれらに限定されない。
【００２８】
本発明の技術手段は、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、アドバンストロングタームエボリューション（Ａｄｖａｎｃｅｄ  ｌｏｎｇ  ｔｅｒｍ  ｅｖｏｌｕｔｉｏｎ、ＬＴＥ−Ａ）システム、ユニバーサル移動体通信システム （Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、５Ｇ等のような様々な通信システムに適用されることができる。
【００２９】
本発明の実施例の技術手段は、端末機器とネットワーク機器との通信に適用されることができ、また、端末機器ツー端末機器（Ｄｅｖｉｃｅ  ｔｏ  Ｄｅｖｉｃｅ、Ｄ２Ｄ）の通信にも適用されることができる。
【００３０】
本発明の実施例では、ネットワーク機器は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ）であってもよく、ＬＴＥにおける進化型基地局（ｅｖｏｌｖｅｄ  Ｎｏｄｅ  Ｂ、ｅＮＢ又はｅ−ＮｏｄｅＢ）であってもよく、５Ｇにおけるアクセスサービスを提供するための機器であってもよく、本発明の実施例では限定をしない。
【００３１】
本発明では、端末機器及びネットワーク機器に関連して各実施例を説明している。
【００３２】
端末機器は、ユーザ機器（ＵＥ、Ｕｓｅｒ  Ｅｑｕｉｐｍｅｎｔ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置等と称されてもよい。端末機器は、ＷＬＡＮ（Ｗｉｒｅｌｅｓｓ  Ｌｏｃａｌ  Ａｒｅａ  Ｎｅｔｗｏｒｋｓ、無線ＬＡＮ）におけるＳＴ（ＳＴＡＩＯＮ、ステーション）であってもよく、携帯電話、コードレス電話、ＳＩＰ（Ｓｅｓｓｉｏｎ  Ｉｎｉｔｉａｔｉｏｎ  Ｐｒｏｔｏｃｏｌ、セッション確立プロトコル）電話、ＷＬＬ（Ｗｉｒｅｌｅｓｓ  Ｌｏｃａｌ  Ｌｏｏｐ、ワイヤレスローカルループ）局、ＰＤＡ（Ｐｅｒｓｏｎａｌ  Ｄｉｇｉｔａｌ  Ａｓｓｉｓｔａｎｔ、携帯情報端末）、無線通信機能のあるハンドヘルド機器、計算機器又は無線モデムに接続する他の処理機器、車載機器、ウェアラブル機器及び未来５Ｇネットワークにおける端末機器又は未来進化のＰＬＭＮネットワークにおける端末機器等であってもよい。
【００３３】
ネットワーク機器は、端末機器と通信するための機器であってもよく、ネットワーク機器は、ＷＬＡＮ（Ｗｉｒｅｌｅｓｓ  Ｌｏｃａｌ  Ａｒｅａ  Ｎｅｔｗｏｒｋｓ、無線ＬＡＮ）におけるＡＰ（ＡＣＣＥＳＳ  ＰＯＩＮＴ、アクセスポイント）、ＧＳＭ又はＣＤＭＡ（Ｃｏｄｅ  Ｄｉｖｉｓｉｏｎ  Ｍｕｌｔｉｐｌｅ  Ａｃｃｅｓｓ、符号分割多元接続）におけるＢＴＳ（Ｂａｓｅ  Ｔｒａｎｓｃｅｉｖｅｒ  Ｓｔａｔｉｏｎ、基地局）であってもよく、ＷＣＤＭＡにおけるＮＢ（ＮｏｄｅＢ、基地局）であってもよく、ＬＴＥ（Ｌｏｎｇ  Ｔｅｒｍ  Ｅｖｏｌｕｔｉｏｎ、ロングタームエボリューション）におけるｅＮＢ又はｅＮｏｄｅＢ（Ｅｖｏｌｕｔｉｏｎａｌ  Ｎｏｄｅ  Ｂ、進化型基地局）、又は中継局又はアクセスポイント、又は車載機器、ウェアラブル機器及び未来５Ｇネットワークにおけるネットワーク機器又は未来進化のＰＬＭＮネットワークにおけるネットワーク機器等であってもよい。
【００３４】
本発明の実施例に言及された基本パラメータセットは、
サブキャリア間隔、特定の帯域幅でのサブキャリア数、物理リソースブロック（Ｐｈｙｓｉｃａｌ  Ｒｅｓｏｕｒｃｅ  Ｂｌｏｃｋ、ＰＲＢ）におけるサブキャリア数、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）符号の長さ、例えば、高速フーリエ変換（Ｆａｓｔ  Ｆｏｕｒｉｅｒ  Ｔｒａｎｓｆｏｒｍ、ＦＦＴ）又は逆フーリエ変換例えば逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）のようなＯＦＤＭ信号を生成するためのフーリエ変換の点数、伝送時間間隔ＴＴＩにおけるＯＦＤＭ符号数、特定の時間長さ内に含まれるＴＴＩの数及び信号プレフィックスの長さのうちの少なくとも１つを含んでもよい。
【００３５】
ここで、サブキャリア間隔とは、隣接するサブキャリアの周波数間隔であり、例えば１５ｋＨｚ、６０ｋＨｚ等であり、特定の帯域幅でのサブキャリア数は、例えばそれぞれの可能なシステム帯域幅に対応するサブキャリア数であり、ＰＲＢに含まれるサブキャリア数は、例えば典型的に１２の整数倍であってもよく、ＴＴＩに含まれるＯＦＤＭ符号数は、例えば典型的に１４の整数倍であってもよく、一定の時間単位内に含まれるＴＴＩ数は、１ｍｓ又は１０ｍｓの時間長さ内に含まれるＴＴＩ数を示してもよく、信号プレフィックス長さは、例えば信号のサイクリックプレフィックスの時間長さ、又はサイクリックプレフィックスとして通常のＣＰを使用するか拡張ＣＰを使用するかに関する。
【００３６】
図１は、本発明の実施例に係る信号伝送方法１００の概略フローチャートである。この方法１００は、ターゲットチャネルを利用した信号の受信又は送信に用いられることができ、ここで、第１の機器が端末機器であって、第２の機器がネットワーク機器であってもよく、又は、第１の機器がネットワーク機器であって、第２の機器が端末機器であってもよく、又は第１の機器が端末機器であって、第２の機器も端末機器であってもよい。
【００３７】
図１に示すように、この方法１００は、１１０及び１２０を含む。
【００３８】
１１０では、第１の機器がターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定され、
１２０では、この第１の機器がこのターゲットチャネルの帯域幅及びサブキャリア数に基づき、このターゲットチャネルを介して第２の機器に信号を送信し、又はこの第２の機器がこのターゲットチャネルを介して送信した信号を受信し、ここで、この第１の機器及びこの第２の機器の少なくとも１つは端末機器である。
【００３９】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【００４０】
選択的に、このターゲットチャネルは、端末機器によりアクセスされるチャネルである。
【００４１】
選択的に、端末機器によりアクセスされるチャネルは、ターゲットチャネルが同期チャネル、ランダムアクセスチャネル又はシステム情報を伝送するためのチャネルであってもよい。
【００４２】
本発明に言及されたターゲットチャネルは、端末機器によりアクセスされるチャネル以外に、また他のチャネルであってもよいことが理解されるべきである。
【００４３】
選択的に、本発明の実施例では、異なるチャネルタイプに対応する帯域幅及び／又はサブキャリア数の範囲は異なっていてもよい。
【００４４】
選択的に、本発明の実施例に言及された信号は、上り信号又は下り信号であってもよい。
【００４５】
一実現形態では、この信号が下り信号である場合、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【００４６】
この実現形態では、第１の機器が端末機器であって、第２の機器がネットワーク機器であってもよく、この場合、この端末機器はこのネットワーク機器が送信した下り信号を受信する。又は、この実現形態では、第１の機器がネットワーク機器であって、第２の機器が端末機器であってもよく、この場合、このネットワーク機器はこの端末機器に下り信号を送信する。
【００４７】
別の実現形態では、この信号は上り信号であり、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。
【００４８】
この実現形態では、第１の機器がネットワーク機器であって、第２の機器が端末機器であってもよく、この場合、このネットワーク機器はこの端末機器が送信した上り信号を受信でき、又は、この実現形態では、第１の機器が端末機器であって、第２の機器がネットワーク機器であってもよく、この場合、この端末機器はこのネットワーク機器に上り信号を送信できる。
【００４９】
選択的に、本発明の実施例に言及された信号は、またＤ２Ｄ信号であってもよく、例えば、端末機器が送信したディスカバリ（ｄｉｓｃｏｖｅｒｙ）信号であってもよく、他の端末機器のアクセスのために使用される。
【００５０】
この実現形態では、前記第１の機器は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００５１】
選択的に、本発明の実施例では、このターゲットチャネルは、第１のチャネルタイプに属し、この第１のチャネルタイプは、複数のチャネルを含み、異なるチャネルは異なるレベル及び／又はタイプの端末機器に対応する。
【００５２】
つまり、あるチャネルタイプを複数のチャネルに区分し、異なるチャネルは異なるレベル及び／又はタイプの端末機器により使用されることができ、これにより、さらにリソースの浪費を回避し、異なるタイプ及び／又はレベルの端末機器の伝送要求を満たすことができる。
【００５３】
選択的に、本発明の実施例では、ネットワーク機器が、異なるレベル及び／又はタイプの端末機器が第１のチャネルタイプのチャネルを使用するときに採用する帯域幅の取り得る値範囲を通知する。
【００５４】
選択的に、本発明の実施例では、ネットワーク機器が、異なるレベル及び／又はタイプの端末機器が第１のチャネルタイプのチャネルを使用するときに採用するサブキャリア数の取り得る値範囲を通知する。
【００５５】
選択的に、本発明の実施例では、ネットワーク機器は、ブロードキャスト、マルチキャスト又はプロプライエタリシグナリングの方式によって、異なるレベル及び／又はタイプの端末機器が第１のチャネルタイプのチャネルを使用するときに採用する帯域幅又はサブキャリア間隔の取り得る値範囲を通知できる。
【００５６】
選択的に、本発明の実施例では、ネットワーク機器は、物理下り制御チャネルを介して異なるレベル及び／又はタイプの端末機器が第１のチャネルタイプのチャネルを使用するときに採用するサブキャリア数の取り得る値範囲及び／又は帯域幅の取り得る値範囲を通知できる。
【００５７】
本発明の実施例に言及されたサブキャリア数の取り得る値範囲又は帯域幅の取り得る値範囲は、１つの数値のみ含んでもよく、又は有限数値を含む集合であってもよく、又は無限数値を含む１つの集合であってもよく、本発明の実施例はこれについて限定をしないことが理解されるべきである。
【００５８】
選択的に、本発明の実施例では、第１の機器は、ターゲットチャネルの帯域幅と連携して、ターゲットチャネルのサブキャリア数を決定するために、基本パラメータセットからターゲットチャネルのサブキャリア間隔を決定できる。
【００５９】
具体的に、Ｎｓｃ，ｉ＝ＢＷａｃ／ｆｓｃ，ｉの式に従ってサブキャリア数Ｎ  ｓｃ，ｉを決定でき、ただし、ＢＷａｃはターゲットチャネルの帯域幅であり、ｆｓｃ，ｉはターゲットチャネルのサブキャリア間隔である。
【００６０】
選択的に、本発明の実施例では、第１の機器は、ターゲットチャネルのサブキャリア数と連携して、ターゲットチャネルの帯域幅を決定するために、基本パラメータセットからターゲットチャネルのサブキャリア間隔を決定できる。
【００６１】
具体的に、ＢＷａｃ，ｉ＝ｆｓｃ，ｊ＊Ｎｓｃ，ｉの式に従ってターゲットチャネルの帯域幅を決定でき、ただし、ｆｓｃ，ｊはターゲットチャネルのサブキャリア間隔であり、Ｎｓｃ，ｉはターゲットチャネルのサブキャリア数である。
【００６２】
本発明の実施例では、第１の機器は、複数の基本パラメータセットからターゲット基本パラメータセットを選択し、ターゲット基本パラメータセットからターゲットチャネルのサブキャリア間隔を決定できる。
【００６３】
以下、本発明の理解を容易にするために、第２の機器を端末機器として本発明の実施例に係る信号伝送方法を説明する。
【００６４】
以下に説明される信号伝送方法におけるターゲットチャネル（上り信号、下り信号又はＤ２Ｄ信号を伝送する）の帯域幅の取り得る値範囲が下記の条件を満たしてもよいことが理解されるべきである。
【００６５】
信号が下り信号である場合、このターゲットチャネルの帯域幅は、このターゲットチャネルを使用する端末機器のレベル及び／又はタイプに対応する最小帯域幅以下であり、及び／又は、このターゲットチャネルのサブキャリア数は、このターゲットチャネルを使用する端末機器のレベル及び／又はタイプに対応する最小サブキャリア数以下である。信号が上り信号である場合、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。信号がＤ２Ｄ信号である場合、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００６６】
ここで、前記第１の機器はネットワーク機器又は端末機器であってもよく、第１の機器が端末機器である場合、第１の機器と第２の機器の間の通信はＤ２Ｄ通信と称されてもよい。
【００６７】
一実現形態では、この第１の機器は、この端末機器のレベル及び／又はタイプに基づき、このターゲットチャネルの帯域幅の取り得る値範囲を決定し、このターゲットチャネルの帯域幅の取り得る値範囲内でこのターゲットチャネルの帯域幅を決定し、このターゲットチャネルのサブキャリア間隔を決定し、このターゲットチャネルの帯域幅及びこのターゲットチャネルのサブキャリア間隔に基づき、このターゲットチャネルのサブキャリア数を決定し、ターゲットチャネルのサブキャリア数及びチャネル帯域幅に基づき、ターゲットチャネルを介して信号の受信又は送信を行う。
【００６８】
選択的に、この実現形態では、ネットワーク機器は、異なるレベル及び／又はタイプの端末機器が第１のチャネルタイプのチャネルを使用するときに採用する帯域幅の取り得る値範囲を通知できる。
【００６９】
ここで、第１の機器が端末機器である場合、第１の機器は、ネットワーク機器の通知に基づき、この第２の機器と通信する必要があるときに、第２の機器のレベル及び／又はタイプを判断し、このレベル及び／又はタイプに対応する帯域幅の取り得る値範囲を決定できる。
【００７０】
第１の機器がネットワーク機器である場合、このネットワーク機器は、異なるレベル及び／又はタイプの端末機器が第１のチャネルタイプのチャネルを使用するときに採用する帯域幅の取り得る値範囲を通知し、あるレベル及び／又はタイプの端末機器と信号伝送を行うときに、このレベル及び／又はタイプの端末機器に対応する帯域幅の取り得る値範囲を探索できる。
【００７１】
別の実現形態では、この第１の機器は、この端末機器のレベル及び／又はタイプに基づき、このターゲットチャネルのサブキャリア数の取り得る値範囲を決定し、このターゲットチャネルのサブキャリア数の取り得る値範囲内でこのターゲットチャネルのサブキャリア数を決定し、このターゲットチャネルのサブキャリア間隔を決定し、このターゲットチャネルのサブキャリア数及びこのターゲットチャネルのサブキャリア間隔に基づき、このターゲットチャネルの帯域幅を決定し、ターゲットチャネルのサブキャリア数及びチャネル帯域幅に基づき、ターゲットチャネルを介して信号の受信又は送信を行う。
【００７２】
選択的に、この実現形態では、ネットワーク機器は、異なるレベル及び／又はタイプの端末機器が第１のチャネルタイプのチャネルを使用するときに採用するサブキャリア数の取り得る値範囲をブロードキャストできる。
【００７３】
ここで、第１の機器が端末機器である場合、第１の機器は、ネットワーク機器の通知に基づき、この第２の機器と通信する必要があるときに、第１の機器のレベル及び／又はタイプを判断し、このレベル及び／又はタイプに対応するサブキャリア数の取り得る値範囲を決定できる。
【００７４】
第１の機器がネットワーク機器である場合、このネットワーク機器は、異なるレベル及び／又はタイプの端末機器が第１のチャネルタイプのチャネルを使用するときに採用するサブキャリア数の取り得る値範囲を通知でき、あるレベル及び／又はタイプの端末機器と信号伝送を行うときに、このレベル及び／又はタイプの端末機器に対応するサブキャリア数の取り得る値範囲を探索できる。
【００７５】
以下、第１の機器を端末機器として本発明の実施例の信号伝送方法を詳細に説明する。以下に説明される信号伝送方法におけるターゲットチャネル（上り信号、下り信号又はＤ２Ｄ信号を伝送する）の帯域幅の取り得る値範囲が下記の条件を満たしてもよいことが理解されるべきである。
【００７６】
信号が下り信号である場合、このターゲットチャネルの帯域幅は、このターゲットチャネルを使用する端末機器のレベル及び／又はタイプに対応する最小帯域幅以下であり、及び／又は、このターゲットチャネルのサブキャリア数は、このターゲットチャネルを使用する端末機器のレベル及び／又はタイプに対応する最小サブキャリア数以下である。信号が上り信号である場合、このターゲットチャネルの帯域幅は、このターゲットチャネルを使用する端末機器のレベル及び／又はタイプに対応する最小帯域幅以上であり、及び／又は、このターゲットチャネルのサブキャリア数は、このターゲットチャネルを使用する端末機器のレベル及び／又はタイプに対応する最小サブキャリア数以上である。信号がＤ２Ｄ信号である場合、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００７７】
ここで、前記第２の機器はネットワーク機器又は端末機器であってもよく、第２の機器が端末機器である場合、第１の機器と第２の機器の間の通信はＤ２Ｄ通信と称されてもよい。
【００７８】
一実現形態では、前記端末機器が前記ターゲットチャネルの帯域幅の取り得る値範囲内で前記ターゲットチャネルの帯域幅を決定し、前記ターゲットチャネルのサブキャリア間隔を決定し、前記端末機器が前記ターゲットチャネルの帯域幅及び前記ターゲットチャネルのサブキャリア間隔に基づき、前記ターゲットチャネルのサブキャリア数を決定し、ターゲットチャネルのサブキャリア数及びチャネル帯域幅に基づき、ターゲットチャネルを介して信号の受信又は送信を行う。
【００７９】
選択的に、この実現形態では、ネットワーク機器は、異なるレベル及び／又はタイプの端末機器が第１のチャネルタイプのチャネルを使用するときに採用する帯域幅の取り得る値範囲を通知できる。端末機器は、ネットワーク機器の通知により、第１のチャネルタイプの自身のレベル及び／又はタイプに対応するチャネル帯域幅を取得できる。
【００８０】
別の実現形態では、前記端末機器は、前記ターゲットチャネルのサブキャリア数の取り得る値範囲内で前記ターゲットチャネルのサブキャリア数を決定し、前記ターゲットチャネルのサブキャリア間隔を決定し、前記ターゲットチャネルのサブキャリア数及びサブキャリア間隔に基づき、前記ターゲットチャネルの帯域幅を決定し、ターゲットチャネルのサブキャリア数及びチャネル帯域幅に基づき、ターゲットチャネルを介して信号の受信又は送信を行う。
【００８１】
選択的に、この実現形態では、ネットワーク機器は、異なるレベル及び／又はタイプの端末機器が第１のチャネルタイプのチャネルを使用するときに採用するサブキャリア数の取り得る値範囲を通知できる。端末機器は、ネットワーク機器の通知により、第１のチャネルタイプの自身のレベル及び／又はタイプに対応するサブキャリア数を取得できる。
【００８２】
したがって、本発明の実施例では、信号を伝送するチャネルの帯域幅又はサブキャリア数は、このターゲットチャネルを使用する端末機器のレベル及び／又はタイプにより決定され、統一的な帯域幅又はサブキャリア数を採用して信号を伝送することを回避でき、異なる幅のスペクトルリソースを充分に利用し、リソースの浪費を回避でき、さらに、異なるレベル及び／又はタイプの端末機器に対して異なるサブキャリア数及び／又は帯域幅を設計でき、リソースの浪費を回避した上で、端末機器の伝送要求を満たすことができる。
【００８３】
図２は、本発明の実施例に係る信号伝送機器２００の概略ブロック図である。図２に示すように、この機器２００は、処理ユニット２１０及び送受信ユニット２２０を備える。この機器２００は、第１の機器と称されてもよい。
【００８４】
ここで、処理ユニット２１０は、ターゲットチャネルの帯域幅及びサブキャリア数を決定するために使用され、ここで、このターゲットチャネルの帯域幅又はサブキャリア数は、このターゲットチャネルを使用する端末機器のレベル及び／又はタイプにより決定され、
送受信ユニット２２０は、このターゲットチャネルの帯域幅及びサブキャリア数に基づき、このターゲットチャネルを介して第２の機器に信号を送信し、又はこの第２の機器がこのターゲットチャネルを介して送信した信号を受信するために使用され、ここで、この機器２００及びこの第２の機器のうちの少なくとも１つは端末機器である。
【００８５】
選択的に、このターゲットチャネルは、端末機器によりアクセスされるチャネルである。
【００８６】
選択的に、このターゲットチャネルは、同期チャネル、ランダムアクセスチャネル又はシステム情報を伝送するためのチャネルである。
【００８７】
選択的に、この信号は下り信号であり、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【００８８】
選択的に、この信号は上り信号であり、このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【００８９】
選択的に、この信号は、Ｄ２Ｄ信号であってもよく、例えば、端末機器が送信したディスカバリ（ｄｉｓｃｏｖｅｒｙ）信号であってもよく、他の端末機器のアクセスのために使用される。
【００９０】
この実現形態では、機器２００は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【００９１】
選択的に、このターゲットチャネルは、第１のチャネルタイプに属し、この第１のチャネルタイプは、複数のチャネルを含み、異なるチャネルは端末機器の異なるレベル及び／又はタイプに対応する。
【００９２】
選択的に、この第２の機器は端末機器であり、この処理ユニット２１０は、具体的に、
この第２の機器のレベル及び／又はタイプに基づき、このターゲットチャネルの帯域幅の取り得る値範囲を決定し、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定するために使用される。
【００９３】
選択的に、この機器２００はネットワーク機器であり、この送受信ユニット２２０は、また、
異なるレベル及び／又はタイプの端末機器が第１のチャネルタイプのチャネルを使用するときに採用する帯域幅の取り得る値範囲を通知するために使用され、ここで、このターゲットチャネルは、第１のチャネルタイプに属し、この第１のチャネルタイプは、複数のチャネルを含み、異なるチャネルは異なるレベル及び／又はタイプの端末機器に対応する。
【００９４】
選択的に、この第２の機器は端末機器であり、
この処理ユニット２１０は、具体的に、
この第２の機器のレベル及び／又はタイプに基づき、このターゲットチャネルのサブキャリア数の取り得る値範囲を決定し、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びこのターゲットチャネルのサブキャリア間隔に基づき、このターゲットチャネルの帯域幅を決定するために使用される。
【００９５】
選択的に、この機器２００はネットワーク機器であり、この送受信ユニット２２０は、また、
異なるレベル及び／又はタイプの端末機器が第１のチャネルタイプのチャネルを使用するときに採用するサブキャリア数の取り得る値範囲を通知するために使用され、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００９６】
選択的に、この機器２００は端末機器であり、この処理ユニット２１０は、また、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定するために使用される。
【００９７】
選択的に、この機器２００は端末機器であり、この送受信ユニット２２０は、また、
ネットワーク機器が送信した第１の指示情報を受信するために使用され、この第１の指示情報は、第１のチャネルタイプのチャネルに関して、この端末機器のレベル及び／又はタイプに対応するサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【００９８】
選択的に、この機器２００は端末機器であり、
この処理ユニット２１０は、また、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びサブキャリア間隔に基づき、このターゲットチャネルの帯域幅を決定するために使用される。
【００９９】
選択的に、この機器２００は端末機器であり、この送受信ユニット２２０は、また、
ネットワーク機器が送信した第２の指示情報を受信するために使用され、この第２の指示情報は、第１のチャネルタイプのチャネルに関して、この端末機器のレベル及び／又はタイプに対応するターゲットチャネルのサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１００】
選択的に、この処理ユニット２１０は、具体的に、
複数の基本パラメータセットからターゲット基本パラメータセットを決定し、
このターゲット基本パラメータセットからこのターゲットチャネルのサブキャリア間隔を決定するために使用される。
【０１０１】
この機器２００は、方法１００における第１の機器に対応されることができ、この方法１００における第１の機器に対応する機能を実現できることが理解されるべきであり、簡潔にするために、ここで詳細な説明を省略する。
【０１０２】
図３は、本発明の実施例に係る信号伝送機器３００の概略ブロック図である。この機器３００は、プロセッサー３１０、メモリ３２０及び送受信器３３０を備える。メモリ３２０は、プログラム命令を格納するために使用される。プロセッサー３１０は、メモリ３２０に格納されているプログラム命令を呼び出すことができる。送受信器３３０は外部と通信するために使用され、選択的に、機器３００は、プロセッサー３１０、メモリ３２０及び送受信器３３０を相互接続させるバスシステム３４０をさらに備える。この機器は第１の機器と称されてもよい。
【０１０３】
具体的に、プロセッサー３１０は、メモリ３２０に記憶されている命令を呼び出して、下記の操作を実行するために使用され、
ターゲットチャネルの帯域幅及びサブキャリア数を決定し、ここで、このターゲットチャネルの帯域幅又はサブキャリア数は、このターゲットチャネルを使用する端末機器のレベル及び／又はタイプにより決定され、
このターゲットチャネルの帯域幅及びサブキャリア数に基づき、送受信器３３０を利用してこのターゲットチャネルを介して第２の機器に信号を送信し、又はこの第２の機器がこのターゲットチャネルを介して送信した信号を受信し、ここで、この第１の機器及びこの第２の機器の少なくとも１つは端末機器である。
【０１０４】
選択的に、このターゲットチャネルは、端末機器によりアクセスされるチャネルである。
【０１０５】
選択的に、このターゲットチャネルは、同期チャネル、ランダムアクセスチャネル又はシステム情報を伝送するためのチャネルである。
【０１０６】
選択的に、この信号は下り信号であり、このターゲットチャネルの帯域幅は、このターゲットチャネルを使用する端末機器のレベル及び／又はタイプに対応する最小帯域幅以下であり、及び／又は、
このターゲットチャネルのサブキャリア数は、このターゲットチャネルを使用する端末機器のレベル及び／又はタイプに対応する最小サブキャリア数以下である。
【０１０７】
選択的に、この信号は上り信号であり、このターゲットチャネルの帯域幅は、このターゲットチャネルを使用する端末機器のレベル及び／又はタイプに対応する最小帯域幅以上であり、及び／又は、
このターゲットチャネルのサブキャリア数は、このターゲットチャネルを使用する端末機器のレベル及び／又はタイプに対応する最小サブキャリア数以上である。
【０１０８】
選択的に、この信号は、Ｄ２Ｄ信号であってもよく、例えば、端末機器が送信したディスカバリ（ｄｉｓｃｏｖｅｒｙ）信号であってもよく、他の端末機器のアクセスのために使用される。
【０１０９】
この実現形態では、機器２００は端末機器であり、且つ前記第２の機器も端末機器であり、前記ターゲットチャネルの帯域幅は、前記ターゲットチャネルを使用する端末機器のレベル及び／又はタイプに対応する最小帯域幅以下であり、及び／又は、前記ターゲットチャネルのサブキャリア数は、前記ターゲットチャネルを使用する端末機器のレベル及び／又はタイプに対応する最小サブキャリア数以下である。
【０１１０】
選択的に、このターゲットチャネルは、第１のチャネルタイプに属し、この第１のチャネルタイプは、複数のチャネルを含み、異なるチャネルは異なるレベル及び／又はタイプの端末機器に対応する。
【０１１１】
選択的に、この第２の機器は端末機器であり、プロセッサー３１０は、メモリ３２０に記憶されている命令を呼び出して、下記の操作を実行するために使用され、
この第２の機器のレベル及び／又はタイプに基づき、このターゲットチャネルの帯域幅の取り得る値範囲を決定し、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定する。
【０１１２】
選択的に、この第１の機器はネットワーク機器であり、プロセッサー３１０は、メモリ３２０に記憶されている命令を呼び出して、下記の操作を実行するために使用され、
送受信器３３０を利用して異なるレベル及び／又はタイプの端末機器が第１のチャネルタイプのチャネルを使用するときに採用する帯域幅の取り得る値範囲を通知し、ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１３】
選択的に、この第２の機器は端末機器であり、プロセッサー３１０は、メモリ３２０に記憶されている命令を呼び出して、下記の操作を実行するために使用され、
この第２の機器のレベル及び／又はタイプに基づき、このターゲットチャネルのサブキャリア数の取り得る値範囲を決定し、
このターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びこのターゲットチャネルのサブキャリア間隔に基づき、このターゲットチャネルの帯域幅を決定する。
【０１１４】
選択的に、この第１の機器はネットワーク機器であり、プロセッサー３１０は、メモリ３２０に記憶されている命令を呼び出して、下記の操作を実行するために使用され、
送受信器３３０を利用して異なるレベル及び／又はタイプの端末機器が第１のチャネルタイプのチャネルを使用するときに採用するサブキャリア数の取り得る値範囲を通知し、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１５】
選択的に、この第１の機器は端末機器であり、プロセッサー３１０は、メモリ３２０に記憶されている命令を呼び出して、下記の操作を実行するために使用され、
このターゲットチャネルの帯域幅の取り得る値範囲内でこのターゲットチャネルの帯域幅を決定し、
このターゲットチャネルのサブキャリア間隔を決定し、
このターゲットチャネルの帯域幅及びこのターゲットチャネルのサブキャリア間隔に基づき、このターゲットチャネルのサブキャリア数を決定する。
【０１１６】
選択的に、プロセッサー３１０は、メモリ３２０に記憶されている命令を呼び出して、下記の操作を実行するために使用され、
送受信器３３０を利用してネットワーク機器が送信した第１の指示情報を受信し、この第１の指示情報は、第１のチャネルタイプのチャネルに関して、この端末機器のレベル及び／又はタイプに対応するサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１７】
選択的に、この第１の機器は端末機器であり、プロセッサー３１０は、メモリ３２０に記憶されている命令を呼び出して、下記の操作を実行するために使用され、
この第１の機器がこのターゲットチャネルのサブキャリア数の取り得る値範囲内でこのターゲットチャネルのサブキャリア数を決定し、
このターゲットチャネルのサブキャリア間隔を決定し、
このターゲットチャネルのサブキャリア数及びサブキャリア間隔に基づき、このターゲットチャネルの帯域幅を決定する。
【０１１８】
選択的に、この第１の機器は端末機器であり、プロセッサー３１０は、メモリ３２０に記憶されている命令を呼び出して、下記の操作を実行するために使用され、
この第１の機器が、ネットワーク機器が送信した第２の指示情報を受信し、この第２の指示情報は、第１のチャネルタイプのチャネルに関して、この端末機器のレベル及び／又はタイプに対応するターゲットチャネルのサブキャリア数を指示するためのものであり、
ここで、このターゲットチャネルは、第１のチャネルタイプに属し、この第１のチャネルタイプは、複数のチャネルを含み、異なるチャネルは異なるレベル及び／又はタイプの端末機器に対応する。
【０１１９】
選択的に、プロセッサー３１０は、メモリ３２０に記憶されている命令を呼び出して、下記の操作を実行するために使用され、
複数の基本パラメータセットからターゲット基本パラメータセットを決定し、
このターゲット基本パラメータセットからこのターゲットチャネルのサブキャリア間隔を決定する。
【０１２０】
この機器３００は、方法１００における第１の機器に対応されることができ、この方法１００における第１の機器に対応する機能を実現できることが理解されるべきであり、簡潔にするために、ここで詳細な説明を省略する。
【０１２１】
本発明の実施例によれば、通信システムが提供され、前記システムは、上記に言及されたいずれかの第１の機器及び第２の機器を含む。
【０１２２】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１２３】
当業者であれば、説明の便宜及び簡潔さのために、上述のシステム、装置及びユニットの具体的な作業プロセスは、前述の方法の実施例における対応するプロセスを参照することができ、ここで詳細な説明を省略することを理解することができる。
【０１２４】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１２５】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１２６】
なお、本発明の各実施例における各機能ユニットは、１つの処理ユニットに集積されていてもよく、各ユニットが単独に物理的に存在していてもよく、２つ又は２つ以上のユニットが１つのユニットに集積されていてもよい。
【０１２７】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等のプログラムコードを記憶可能な様々な媒体を含む。
【０１２８】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【手続補正２】
【補正対象書類名】特許請求の範囲
【補正対象項目名】全文
【補正方法】変更
【補正の内容】
【特許請求の範囲】
【請求項１】
第１の機器がターゲットチャネルの帯域幅及びサブキャリア数を決定し、ここで、前記ターゲットチャネルの帯域幅又はサブキャリア数は、前記ターゲットチャネルを使用する端末機器のレベル及び／又はタイプにより決定されるステップと、
前記第１の機器が前記ターゲットチャネルの帯域幅及びサブキャリア数に基づき、前記ターゲットチャネルを介して第２の機器に信号を送信し、又は前記第２の機器が前記ターゲットチャネルを介して送信した信号を受信し、ここで、前記第１の機器及び前記第２の機器のうちの少なくとも１つは端末機器であるステップと、を含む
ことを特徴とする信号伝送方法。
【請求項２】
前記ターゲットチャネルは、端末機器によりアクセスされるチャネルであり、
前記ターゲットチャネルは、同期チャネル、ランダムアクセスチャネル又はシステム情報を伝送するためのチャネルである
ことを特徴とする請求項１に記載の方法。
【請求項３】
前記信号は下り信号であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下であり、
前記信号は上り信号であり、
前記ターゲットチャネルの帯域幅は、前記ターゲットチャネルを使用する端末機器のレベル及び／又はタイプに対応する最小帯域幅以上であり、及び／又は、
前記ターゲットチャネルのサブキャリア数は、前記ターゲットチャネルを使用する端末機器のレベル及び／又はタイプに対応する最小サブキャリア数以上である
ことを特徴とする請求項１または２に記載の方法。
【請求項４】
前記第１の機器は端末機器であり、且つ前記第２の機器も端末機器であり、
前記ターゲットチャネルの帯域幅は、前記ターゲットチャネルを使用する端末機器のレベル及び／又はタイプに対応する最小帯域幅以下であり、及び／又は、
前記ターゲットチャネルのサブキャリア数は、前記ターゲットチャネルを使用する端末機器のレベル及び／又はタイプに対応する最小サブキャリア数以下である
ことを特徴とする請求項１または２に記載の方法。
【請求項５】
前記ターゲットチャネルは、第１のチャネルタイプに属し、前記第１のチャネルタイプは、少なくとも一つのチャネルを含み、異なるチャネルは端末機器の異なるレベル及び／又はタイプに対応する
ことを特徴とする請求項１または２に記載の方法。
【請求項６】
前記第２の機器は端末機器であり、
前記第１の機器がターゲットチャネルの帯域幅及びサブキャリア数を決定するステップは、
前記第１の機器が前記第２の機器のレベル及び／又はタイプに基づき、前記ターゲットチャネルの帯域幅の取り得る値範囲を決定するステップと、
前記ターゲットチャネルの帯域幅の取り得る値範囲内で前記ターゲットチャネルの帯域幅を決定するステップと、
前記ターゲットチャネルのサブキャリア間隔を決定するステップと、
前記ターゲットチャネルの帯域幅及び前記ターゲットチャネルのサブキャリア間隔に基づき、前記ターゲットチャネルのサブキャリア数を決定するステップと、を含む
ことを特徴とする請求項１〜２及び５のいずれか１項に記載の方法。
【請求項７】
前記第１の機器はネットワーク機器であり、
前記第１の機器が、異なるレベル及び／又はタイプの端末機器が第１のチャネルタイプのチャネルを使用するときに採用する帯域幅の取り得る値範囲を通知するステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜２、５及び６のいずれか１項に記載の方法。
【請求項８】
前記第２の機器は端末機器であり、
前記第１の機器がターゲットチャネルの帯域幅及びサブキャリア数を決定するステップは、
前記第１の機器が前記第２の機器のレベル及び／又はタイプに基づき、前記ターゲットチャネルのサブキャリア数の取り得る値範囲を決定するステップと、
前記ターゲットチャネルのサブキャリア数の取り得る値範囲内で前記ターゲットチャネルのサブキャリア数を決定するステップと、
前記ターゲットチャネルのサブキャリア間隔を決定するステップと、
前記ターゲットチャネルのサブキャリア数及び前記ターゲットチャネルのサブキャリア間隔に基づき、前記ターゲットチャネルの帯域幅を決定するステップと、を含む
ことを特徴とする請求項１〜２及び５のいずれか１項に記載の方法。
【請求項９】
前記第１の機器はネットワーク機器であり、
前記第１の機器が、異なるレベル及び／又はタイプの端末機器が第１のチャネルタイプのチャネルを使用するときに採用するサブキャリア数の取り得る値範囲を通知するステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜２、５及び８のいずれか１項に記載の方法。
【請求項１０】
前記第１の機器は端末機器であり、
前記第１の機器がターゲットチャネルの帯域幅及びサブキャリア数を決定するステップは、
前記第１の機器が前記ターゲットチャネルの帯域幅の取り得る値範囲内で前記ターゲットチャネルの帯域幅を決定するステップと、
前記ターゲットチャネルのサブキャリア間隔を決定するステップと、
前記第１の機器が前記ターゲットチャネルの帯域幅及び前記ターゲットチャネルのサブキャリア間隔に基づき、前記ターゲットチャネルのサブキャリア数を決定するステップと、を含む
ことを特徴とする請求項１〜２及び５のいずれか１項に記載の方法。
【請求項１１】
前記第１の機器は端末機器であり、
前記第１の機器がターゲットチャネルの帯域幅及びサブキャリア数を決定する前に、
前記第１の機器が、ネットワーク機器が送信した第１の指示情報を受信し、前記第１の指示情報は、第１のチャネルタイプのチャネルに関して、前記端末機器のレベル及び／又はタイプに対応するサブキャリア数を指示するためのものであるステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜２、５及び１０のいずれか１項に記載の方法。
【請求項１２】
前記第１の機器は端末機器であり、
前記第１の機器がターゲットチャネルの帯域幅及びサブキャリア数を決定するステップは、
前記第１の機器が前記ターゲットチャネルのサブキャリア数の取り得る値範囲内で前記ターゲットチャネルのサブキャリア数を決定するステップと、
前記ターゲットチャネルのサブキャリア間隔を決定するステップと、
前記ターゲットチャネルのサブキャリア数及びサブキャリア間隔に基づき、前記ターゲットチャネルの帯域幅を決定するステップと、を含む
ことを特徴とする請求項１〜２及び５のいずれか１項に記載の方法。
【請求項１３】
前記第１の機器は端末機器であり、
前記第１の機器がターゲットチャネルの帯域幅及びサブキャリア数を決定する前に、
前記第１の機器が、ネットワーク機器が送信した第２の指示情報を受信し、前記第２の指示情報は、第１のチャネルタイプのチャネルに関して、前記端末機器のレベル及び／又はタイプに対応するターゲットチャネルのサブキャリア数を指示するためのものであるステップをさらに含み、
ここで、前記ターゲットチャネルは、第１のチャネルタイプに属し、前記第１のチャネルタイプは、複数のチャネルを含み、異なるチャネルは異なるレベル及び／又はタイプの端末機器に対応する
ことを特徴とする請求項１〜２、５及び１２のいずれか１項に記載の方法。
【請求項１４】
前記ターゲットチャネルのサブキャリア間隔を決定するステップは、
複数の基本パラメータセットからターゲット基本パラメータセットを決定するステップと、
前記ターゲット基本パラメータセットから前記ターゲットチャネルのサブキャリア間隔を決定するステップと、を含む
ことを特徴とする請求項６、８、１０及び１２のいずれか１項に記載の方法。
【請求項１５】
第１の機器である信号伝送機器であって、
プロセッサーと、
前記プロセッサによって実行可能な命令を記憶するためのメモリとを備え、
前記プロセッサは、請求項１〜１４のいずれか１項に記載の信号伝送方法を実行するように構成されている
ことを特徴とする信号伝送機器。
【国際調査報告】
2019530259.tif 000006
2019530259.tif 000007
2019530259.tif 000008
2019530259.tif 000009